(57)【要約】【課題】  端末が位置情報を得るために、当該端末のＧＰＳ機能を常時有効にしておかなければならず、その分消費電力が増加するという問題がある。【構成】  本発明の一態様における端末は、緊急通報を送信する端末において、前記緊急通報を通知する緊急通報発呼部と、前記端末の位置を特定する位置情報処理部と、前記緊急通報を通知したことに応じて、前記位置情報処理部を起動する端末機能制御部と、前記緊急通報及び前記端末の位置に関する情報を緊急通報先へ送信する端末通信部とを含む。【選択図】図３０
2019134193.tif 000002
【特許請求の範囲】
【請求項１】
緊急通報を送信する端末において、
前記緊急通報を通知する緊急通報発呼部と、
前記端末の位置を特定する位置情報処理部と、
前記緊急通報を通知したことに応じて、前記位置情報処理部を起動する端末機能制御部と、
前記緊急通報及び前記端末の位置に関する情報を緊急通報先へ送信する端末通信部と
を含む端末。
【請求項２】
前記位置情報処理部は、取得した位置情報から自装置の位置を特定する
ことを特徴とする請求項１に記載の端末。
【請求項３】
前記位置情報処理部は、少なくとも１つ以上の通信装置またはＧＰＳ衛星から位置情報を取得し、前記位置情報から自装置の位置を特定する
ことを特徴とする請求項１または２に記載の端末。
【請求項４】
前記端末通信部は、前記緊急通報及び前記端末の位置に関する情報を、所定の組み合わせで、緊急通報先へ送信することを特徴とする請求項１乃至３のいずれかに記載の端末。
【請求項５】
緊急通報を送信する端末において、
前記緊急通報を通知する緊急通報発呼部と、
前記端末の位置を特定する位置情報処理部と、
前記位置情報処理部を起動する端末機能制御部と、
前記緊急通報及び前記端末の位置に関する情報を緊急通報先へ送信する端末通信部と、を含み、
前記端末機能制御部は、前記端末通信部が位置情報取得機能の起動を要求する信号を受信したことに応じて、前記位置情報処理部を起動する
ことを特徴とする端末。
【請求項６】
端末に対して位置情報を配信する通信装置において、
端末からの位置情報要請を受信する通信装置通信部と、
前記位置情報要請を送信した端末の位置情報を通知する位置情報配信部と、
前記位置情報配信部を起動する通信装置機能制御部と、を含み、
前記通信装置通信部は、前記位置情報配信部から通知された位置情報を、前記端末に送信する
ことを特徴とする通信装置。
【請求項７】
前記通信装置機能制御部は、前記通信装置通信部が位置情報取得機能の起動を指示する信号を受信したことに応じて、前記位置配信部を起動する
ことを特徴とする請求項６に記載の通信装置。
【請求項８】
端末からの緊急通報を受信する基地局通信部と、
前記基地局通信部が前記緊急通報を受信したことに応じて、前記端末及び通信装置に対して、位置情報取得機能の起動を指示する信号を送信する端末機能制御指示部と
を含む基地局。
【請求項９】
緊急通報を送信する端末と、
前記端末に対して位置情報を配信する通信装置と、を含み、
前記端末は、
緊急通報を通知する手段と、
前記緊急通報を送信した端末の位置を特定する位置情報処理手段と、
前記緊急通報を通知したことに応じて、前記位置情報処理手段を起動する端末機能制御手段と、
前記緊急通報及び前記端末の位置に関する情報を緊急通報先へ送信する端末通信手段と
を含むことを特徴とする通信システム。
【請求項１０】
前記位置情報処理手段は、少なくとも１つ以上の装置に対して位置情報要請を送信し、取得した位置情報から前記緊急通報を送信した端末の位置を特定する
ことを特徴とする請求項９に記載の通信システム。
【請求項１１】
前記端末機能制御手段は、前記端末通信手段が位置情報取得機能の起動を要求する信号を受信したことに応じて、前記位置情報処理手段を起動する
ことを特徴とする請求項９または１０に記載の通信システム。
【請求項１２】
緊急通報を送信する端末と、
前記端末に対して位置情報を配信する通信装置と、を含み、
前記通信装置は、
前記位置情報要請を送信した端末の位置情報を通知する位置情報配信手段と、
前記位置情報配信手段を起動する通信装置機能制御手段と、を含み、
前記通信装置通信手段は、前記通知された位置情報を、前記端末に送信する
ことを特徴とする通信システム。
【請求項１３】
前記通信装置機能制御手段は、前記通信装置通信手段が位置情報取得機能の起動を指示する信号を受信したことに応じて、前記位置配信手段を起動する
ことを特徴とする請求項１２に記載の通信システム。
【請求項１４】
緊急通報を送信する端末と、
前記端末に対して位置情報を配信する通信装置と、
前記端末からの緊急通報を緊急通報先へ送信する基地局と、を含み、
前記基地局は、
端末からの緊急通報を受信する基地局通信手段と、
前記基地局通信手段が前記緊急通報を受信したことに応じて、前記端末及び通信装置に対して、位置情報取得機能の起動を指示する信号を送信する端末機能制御指示手段と
を含むことを特徴とする通信システム。
【請求項１５】
緊急通報を送信する端末と、
前記端末に対して位置情報を配信する通信装置と、
前記端末からの緊急通報を緊急通報先へ送信する基地局と、を含み、
前記端末から送信された緊急通報を前記基地局が受信したことに応じて、前記基地局が前記端末に対して、位置情報取得機能の起動を指示する信号を送信する
ことを特徴とする通信システム。
【請求項１６】
前記端末から送信された緊急通報を前記基地局が受信したことに応じて、前記基地局が前記端末及び通信装置に対して、位置情報取得機能の起動を指示する信号を送信する
ことを特徴とする請求項１５に記載の通信システム。
【請求項１７】
緊急通報及び位置情報を送信するための方法であって、
緊急通報を通知するステップと、
前記緊急通報を送信した端末の位置を特定するステップと、
前記緊急通報を通知したことに応じて、位置情報の取得開始を指示するステップと、
前記緊急通報及び前記端末の位置に関する情報を緊急通報先へ送信するステップと
を含むことを特徴とする通信方法。
【請求項１８】
緊急通報及び位置情報を送信するための方法であって、
前記緊急通報を通知するステップと、
端末の位置を特定するステップと、
位置情報の取得開始を指示するステップと、
前記緊急通報及び前記端末の位置に関する情報を緊急通報先へ送信するステップと、を含み、
位置情報の取得開始の指示を受信したことに応じて、前記位置情報の取得を開始する
ことを特徴とする通信方法。
【請求項１９】
緊急通報及び位置情報を送信するための方法であって、
前記位置情報要請を送信した端末の位置情報を通知するステップと、
前記位置情報配信手段を起動するステップと、
前記通知された位置情報を、前記端末に送信するステップとを含む
ことを特徴とする通信方法。
【請求項２０】
緊急通報及び位置情報を送信するための方法であって、
端末からの緊急通報を受信するステップと、
前記緊急通報を受信したことに応じて、前記端末及び通信装置に対して、位置情報の取得開始を指示するステップと
を含むことを特徴とする通信方法。
【発明の詳細な説明】
【技術分野】
【０００１】
本発明は、端末、通信装置、基地局、通信システム、通信方法及びプログラムに関する。
【背景技術】
【０００２】
端末が緊急通報を通知する場合、当該端末の位置情報等を通知することにより、当該緊急通報の受理機関（警察や消防、海上保安庁）に対して、当該端末の位置を通知することができ、緊急事態に対して迅速に対応することが可能となる。
【０００３】
ここで、端末の位置情報を把握する技術として、特許文献１及び２に記載の技術がある。
【０００４】
特許文献１は、位置精度を維持することが困難な環境条件下（ＧＰＳ：Ｇｌｏｂａｌ  Ｐｏｓｉｔｉｏｎｉｎｇ  Ｓｙｓｔｅｍ）からの衛星信号の受信状態が良くない場合）であっても、精度の高い位置精度を算出可能な情報端末に関する技術を開示している。
【０００５】
また、特許文献２は、衛星が発信するＧＰＳ信号と同様の信号を屋内に配置した送信機に送信させ、各端末はその信号を受信することで、通常の屋外時と同様にして位置測位を行う技術を開示している。
【先行技術文献】
【特許文献】
【０００６】
【特許文献１】特開２００９−０４２０４５号公報
【特許文献２】特許第５４４０８９４号公報
【発明の概要】
【発明が解決しようとする課題】
【０００７】
しかしながら、特許文献１に記載の技術には、端末が位置情報を取得するために、当該端末の位置情報を交換するための機能を常時有効にしておかなければならず、その分消費電力が増加するという問題がある。
【０００８】
また、特許文献２に記載の技術でも、端末が位置情報を得るために、当該端末のＧＰＳ機能を常時有効にしておかなければならず、その分消費電力が増加するという問題がある。
【０００９】
本発明の目的は、上記問題に鑑み、端末の消費電力を抑制しつつ、当該端末が必要な場合に位置情報を取得可能な端末、通信装置、基地局、通信システム、通信方法及びプログラムを提供することである。
【課題を解決するための手段】
【００１０】
本発明の一態様における端末は、緊急通報を送信する端末において、前記緊急通報を通知する緊急通報発呼部と、前記端末の位置を特定する位置情報処理部と、前記緊急通報を通知したことに応じて、前記位置情報処理部を起動する端末機能制御部と、前記緊急通報及び前記端末の位置に関する情報を緊急通報先へ送信する端末通信部とを含むことを特徴とする。
【００１１】
本発明の一態様における端末は、緊急通報を送信する端末において、前記緊急通報を通知する緊急通報発呼部と、前記端末の位置を特定する位置情報処理部と、前記位置情報処理部を起動する端末機能制御部と、前記緊急通報及び前記端末の位置に関する情報を緊急通報先へ送信する端末通信部と、を含み、前記端末機能制御部は、前記端末通信部が位置情報取得機能の起動を要求する信号を受信したことに応じて、前記位置情報処理部を起動することを特徴とする。
【００１２】
本発明の一態様における通信装置は、端末に対して位置情報を配信する通信装置において、端末からの位置情報要請を受信する通信装置通信部と、前記位置情報要請を送信した端末の位置情報を通知する位置情報配信部と、前記位置情報配信部を起動する通信装置機能制御部と、を含み、前記通信装置通信部は、前記位置情報配信部から通知された位置情報を、前記端末に送信することを特徴とする。
【００１３】
本発明の一態様における基地局は、端末からの緊急通報を受信する基地局通信部と、前記基地局通信部が前記緊急通報を受信したことに応じて、前記端末及び通信装置に対して、位置情報取得機能の起動を指示する信号を送信する端末機能制御指示部とを含むことを特徴とする。
【００１４】
本発明の一態様における通信システムは、緊急通報を送信する端末と、前記端末に対して位置情報を配信する通信装置と、を含み、前記端末は、緊急通報を通知する手段と、前記緊急通報を送信した端末の位置を特定する位置情報処理手段と、前記緊急通報を通知したことに応じて、前記位置情報処理手段を起動する端末機能制御手段と、前記緊急通報及び前記端末の位置に関する情報を緊急通報先へ送信する端末通信手段とを含むことを特徴とする。
【００１５】
本発明の一態様における通信システムは、緊急通報を送信する端末と、前記端末に対して位置情報を配信する通信装置と、を含み、前記通信装置は、前記位置情報要請を送信した端末の位置情報を通知する位置情報配信手段と、前記位置情報配信手段を起動する通信装置機能制御手段と、を含み、前記通信装置通信手段は、前記通知された位置情報を、前記端末に送信することを特徴とする。
【００１６】
本発明の一態様における通信システムは、緊急通報を送信する端末と、前記端末に対して位置情報を配信する通信装置と、前記端末からの緊急通報を緊急通報先へ送信する基地局と、を含み、前記基地局は、端末からの緊急通報を受信する基地局通信手段と、前記基地局通信手段が前記緊急通報を受信したことに応じて、前記端末及び通信装置に対して、位置情報取得機能の起動を指示する信号を送信する端末機能制御指示手段とを含むことを特徴とする。
【００１７】
本発明の一態様における通信システムは、緊急通報を送信する端末と、前記端末に対して位置情報を配信する通信装置と、前記端末からの緊急通報を緊急通報先へ送信する基地局と、を含み、前記端末から送信された緊急通報を前記基地局が受信したことに応じて、前記基地局が前記端末に対して、位置情報取得機能の起動を指示する信号を送信する
ことを特徴とする。
【００１８】
本発明の一態様における通信方法は、緊急通報及び位置情報を送信するための方法であって、緊急通報を通知するステップと、前記緊急通報を送信した端末の位置を特定するステップと、前記緊急通報を通知したことに応じて、位置情報の取得開始を指示するステップと、前記緊急通報及び前記端末の位置に関する情報を緊急通報先へ送信するステップとを含むことを特徴とする。
【００１９】
本発明の一態様における通信方法は、緊急通報及び位置情報を送信するための方法であって、前記緊急通報を通知するステップと、端末の位置を特定するステップと、位置情報の取得開始を指示するステップと、前記緊急通報及び前記端末の位置に関する情報を緊急通報先へ送信するステップと、を含み、位置情報の取得開始の指示を受信したことに応じて、前記位置情報の取得を開始することを特徴とする。
【００２０】
本発明の一態様における通信方法は、緊急通報及び位置情報を送信するための方法であって、前記位置情報要請を送信した端末の位置情報を通知するステップと、前記位置情報配信手段を起動するステップと、前記通知された位置情報を、前記端末に送信するステップとを含むことを特徴とする。
【００２１】
本発明の一態様における通信方法は、緊急通報及び位置情報を送信するための方法であって、端末からの緊急通報を受信するステップと、前記緊急通報を受信したことに応じて、前記端末及び通信装置に対して、位置情報の取得開始を指示するステップとを含むことを特徴とする。
【発明の効果】
【００２２】
本発明は、端末の消費電力を抑制しつつ、当該端末が必要な場合に位置情報を取得可能な通信システム、端末、ネットワークノード、通信方法及びプログラムを提供可能である。
【図面の簡単な説明】
【００２３】
【図１】第１の実施形態の通信システムの構成例である。
【図２】第１の実施形態の通信システムの他の構成例である。
【図３】第１の実施形態の通信システムの他の構成例である。
【図４】第１の実施形態における端末１０の構成例である。
【図５】第１の実施形態における通信装置１１の構成例である。
【図６】第１の実施形態のＧＰＳ衛星２０の構成例である
【図７】第１の実施形態の通信システムの動作例を示すシーケンス図である。
【図８】第２の実施形態の通信システムの構成例である。
【図９】第２の実施形態の端末１２の構成例である。
【図１０】第２の実施形態の通信装置１３の構成例である。
【図１１】第２の実施形態の基地局３０の構成例である。
【図１２】第２の実施形態の通信システムの動作例を示すシーケンス図である。
【図１３】第３の実施形態の通信システムの構成例である。
【図１４】第３の実施形態の基地局３１の構成例である。
【図１５】第３の実施形態のＭＥＣ４０の構成例である。
【図１６】第３の実施形態のＭＭＥ５０の構成例である。
【図１７】第３の実施形態のＭＴＣ−ＩＷＦ６０の構成例である。
【図１８】第３の実施形態の通信システムの動作例を示すシーケンス図である。
【図１９】第４の実施形態の通信システムの構成例である。
【図２０】第４の実施形態のＭＭＥ５１の構成例である。
【図２１】第４の実施形態の通信システムの動作例を示すフローチャートである。
【図２２】第５の実施形態の通信システムの構成例である。
【図２３】第５の実施形態のＳＣＳ７０の構成例である。
【図２４】第５の実施形態の外部サーバ８０の構成例である。
【図２５】第５の実施形態のＳ−ＧＷ９０の構成例である。
【図２６】第５の実施形態のＰ−ＧＷ９５の構成例である。
【図２７】第５の実施形態の通信システムの動作例を示すフローチャートである。
【図２８】第５の実施形態の通信システムの他の動作例を示すフローチャートである。
【図２９】第６の実施形態の通信システムの構成例である。
【図３０】第６の実施形態における端末１４の構成例である。
【図３１】第６の実施形態の基地局３２の構成例である。
【図３２】第６の実施形態の端末１４の構成例を実現するコンピュータの一例である。
【図３３】第６の実施形態の通信装置１１の構成例を実現するコンピュータの一例である。
【発明を実施するための形態】
【００２４】
以下、本発明の実施形態及び実施例について、図面を参照して説明する。各実施形態及び各実施例は、例示であり、本発明は各実施形態及び各実施例に限定されるものではない。なお、この概要に付記した図面参照符号は、理解を助けるための一例として各要素に便宜上付記したものであり、この概要の記載はなんらの限定を意図するものではない。
【００２５】
［第１の実施形態］
［構成の説明］
本発明の第１の実施形態について、図面を参照して説明する。
【００２６】
図１は、第１の実施形態の通信システムの構成例である。第１の実施形態における通信システムは、端末１０と、通信装置１１と、ＧＰＳ（Ｇｌｏｂａｌ  Ｐｏｓｉｔｉｏｎｉｎｇ  Ｓｙｓｔｅｍ））衛星２０を含む。
【００２７】
端末１０は、例えば、携帯電話、スマートフォン、ＰＣ（Ｐｅｒｓｏｎａｌ  Ｃｏｍｐｕｔｅｒ）、モバイルルータ、スマートデバイス（例えば、ウェアラブル端末）、ＩｏＴ機器（例えば車両や車載端末）等である。端末１０は、緊急通報を送信可能である。緊急通報は、端末１０のユーザが警察や海上保安庁、消防等（緊急通報受理機関）へ緊急事態が生じていることを通知するための信号である。端末１０のユーザは、例えば、火災が発生している場合に、当該火災の発生を消防へ通知するために、当該端末１０から緊急通報を通知する。端末１０のユーザは、例えば、急病人が発生している場合に、当該急病人の発生を消防へ通知するために、当該端末１０から緊急通報を通知する。端末１０のユーザは、例えば、犯罪が発生している場合に、当該犯罪の発生を警察へ通知するために、当該端末１０から緊急通報を通知する。緊急通報を通知する場合は、これらの例に限られず、種々の緊急事態の発生時に、端末１０のユーザによって、当該端末１０から所定の緊急通報受理機関へ通知される。
【００２８】
通信装置１１は、位置情報配信ステーションとして、端末１０に対して、当該通信装置１１（自装置）の位置に関する情報（位置情報）を通知する機能を備える。通信装置１１は、例えば、所定のトリガに応じて、端末１０に対して、当該通信装置１１の位置情報を通知する。通信装置１１は、例えば、端末１０からの要求に応じて、当該端末１０に対して、当該通信装置１１の位置情報を通知する。なお、通信装置１１が端末１０に位置情報を通知するタイミングは、これらの例に限られず、どのようなタイミングであってもよい。また、通信端末１１は、例えば、端末１０が受信するか否かによらず、常に位置情報を発信していてもよい。
【００２９】
通信装置１１は、例えば、屋内や地下など、ＧＰＳ衛星からの電波を受信できない場所に設置される。通信装置１１は、例えば、所定の間隔で設置される。通信装置１１は、例えば、他の主要な機能に加えて、位置情報を通知するための機能を備える装置である。他の主要な機能は、例えば、デジタルサイネージとしての機能や、無線ＬＡＮ（Ｌｏｃａｌ  Ａｒｅａ  Ｎｅｔｗｏｒｋ）のアクセスポイントとしての機能である。なお、通信装置１１は、例えば、位置情報を通知するための専用の装置であってもよい。
【００３０】
通信装置１１は、例えば、デジタルサイネージのディスプレイや、Ｗｉ−Ｆｉ（Ｗｉｒｅｌｅｓｓ  Ｆｉｄｅｌｉｔｙ）ルータ、Ｂｅａｃｏｎステーションなどである。また、通信装置１１は、ＲＦ−ＩＤタグ等であってもよい。なお、通信装置１１は、端末１０と、近距離無線通信やデバイス間通信（ＬＴＥ  Ｄｉｒｅｃｔなど）により、通信可能である。
【００３１】
ＧＰＳ衛星２０は、端末１０に対して、所定の信号（ＧＰＳ情報）を送信する。ＧＰＳ衛星２０は、例えば、所定の間隔で、端末１０に対して、ＧＰＳ情報を送信する。
【００３２】
図２は、第１の実施形態の通信システムの他の構成例を示す図である。図２はＬＴＥ（Ｌｏｎｇ  Ｔｅｒｍ  Ｅｖｏｌｕｔｉｏｎ）の通信システムを例示するが、本発明の通信システムは図２の例に限定されない。例えば、本発明は、ＧＰＲＳ（Ｇｅｎｅｒａｌ  Ｐａｃｋｅｔ  Ｒａｄｉｏ  Ｓｅｒｖｉｃｅ）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等にも適用可能である。
【００３３】
図２に示すように、第１の通信システムは、端末１０と、通信装置１１と、ＧＰＳ衛星２０と、基地局３０と、各ネットワークノード（ＭＭＥ：Ｍｏｂｉｌｉｔｙ  Ｍａｎａｇｅｍｅｎｔ  Ｅｎｔｉｔｙ）５０、Ｓ−ＧＷ（ＳＧＷ：Ｓｅｒｖｉｎｇ  Ｇａｔｅｗａｙ）９０、Ｐ−ＧＷ（ＰＧＷ：Ｐａｃｋｅｔ  ｄａｔａ  ｎｅｔｗｏｒｋ  Ｇａｔｅｗａｙ）９５）と、ＩＭＳ  ＮＷ（ＩＰ  Ｍｕｌｔｉｍｅｄｉａ  Ｓｕｂｓｙｓｔｅｍ  Ｎｅｔｗｏｒｋ）と、パケットＮＷ  ＶＰＮ（Ｖｉｒｔｕａｌ  Ｐｒｉｖａｔｅ  Ｎｅｔｗｏｒｋ）と、電話ＮＷと、緊急通報先（緊急通報受理機関）を含む。
【００３４】
端末１０は、基地局３０と接続し、各ネットワークノードを経由して、インターネット等のネットワーク（図２のＩＭＳ  ＮＷやパケットＮＷ  ＶＰＮ、電話ＮＷ）にアクセスする。端末１０は、基地局３０と接続し、緊急通報を、ネットワーク等を介して緊急通報先へ送信する。
【００３５】
図２に例示された各ネットワークノードは、所定の信号処理を実行する。各ネットワークノードは、例えば、信号処理に関する以下の機能を含む。
【００３６】
Ｐ―ＧＷ９５：パケットを処理する機能（Ｕｓｅｒ−Ｐｌａｎｅ機能）、通信に応じた課金状態を管理する機能（ＰＣＥＦ：Ｐｏｌｉｃｙ  ａｎｄ  Ｃｈａｒｇｉｎｇ  Ｅｎｆｏｒｃｅｍｅｎｔ  Ｆｕｎｃｔｉｏｎ）、ＱｏＳ等のポリシーを制御する機能（ＰＣＲＦ：Ｐｏｌｉｃｙ  ａｎｄ  Ｃｈａｒｇｉｎｇ  Ｒｕｌｅ  Ｆｕｎｃｔｉｏｎ）。
【００３７】
Ｓ―ＧＷ９０：パケットを処理する機能（Ｕｓｅｒ−Ｐｌａｎｅ機能）、制御シグナリングを処理する機能（Ｃ−Ｐｌａｎｅ機能）、通信を傍受するための合法的傍受（ＬＩ：Ｌａｗｆｕｌ  Ｉｎｔｅｒｃｅｐｔｉｏｎ）機能。
【００３８】
ＭＭＥ５０：制御シグナリングを処理する機能（Ｃ−Ｐｌａｎｅ機能）、ＨＳＳ（Ｈｏｍｅ  Ｓｕｂｓｃｒｉｂｅｒ  Ｓｅｒｖｅｒ）と連携して、通信システムの加入者情報を管理する機能。
【００３９】
ＩＭＳ  ＮＷは、音声通話やテレビ電話、ＳＭＳなどのマルチメディア通信サービスを提供するネットワークである。緊急通報における音声通話も、このＩＭＳを通して提供される。
【００４０】
パケットＮＷ  ＶＰＮは、モバイル網の出口であるＰ−ＧＷ９５と緊急通報先とをセキュアに接続するネットワークであり、通報端末が送信する位置情報はこのパケットＮＷ  ＶＰＮを介して緊急通報先まで転送される。
【００４１】
電話ＮＷは、音声通話サービスが回線交換方式で提供される公衆電話交換回線網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）である。緊急通報先がＰＳＴＮ網へのみ加入している場合、このＰＳＴＮ網を経由して通報端末と緊急通報先の通話を接続する必要がある。
【００４２】
緊急通報先は、端末１０から緊急通報を受信する機関であり、例えば、警察や海上保安庁、消防等の緊急通報受理機関である。
【００４３】
図３は、第１の実施形態における通信システムの他の構成例を示す図である。図３に例示するように、第１の実施形態における通信システムは、端末１０と、通信装置１１と、ＧＰＳ衛星２０と、基地局３０と、ＭＭＥ５０と、ＰＳ（Ｐａｃｋｅｔ  Ｓｗｉｔｃｈ）ドメインと、ＣＳ（Ｃｉｒｃｕｉｔ  Ｓｗｉｔｃｈ）ドメインと、パケットＮＷ  ＶＰＮと、電話ＮＷと、緊急通報先（緊急通報受理機関）を含む。
【００４４】
ＰＳドメインは、ＵＭＴＳにおいてパケット交換に基づくサービスを提供するネットワークであり、インターネットへの接続サービスなどのデータ通信サービスはＰＳドメインにて提供される。
【００４５】
ＣＳドメインは、ＵＭＴＳにおいて回線交換に基づくサービスを提供するネットワークであり、緊急通報を含む音声通話サービスなどはＣＳドメインにて提供される。
【００４６】
端末１０が緊急通報を行う際、音声通話に関しては、基地局３０およびＣＳドメインを経由して緊急通報先へ接続される。端末１０が取得した位置情報に関しては、基地局３０およびＰＳドメインを経由して緊急通報先へ送信される。
【００４７】
図４は、第１の実施形態における端末１０の構成例を示す図である。図４に示すように、端末１０は、端末通信部１０１と、緊急通報発呼部１０２と、緊急通報認識部１０３と、端末機能制御部１０４と、位置情報処理部１０５とを含む。
【００４８】
端末通信部１０１は、例えば、緊急通報を送信する機能を備える。端末通信部１０１は、緊急通報発呼部１０２から緊急通報を受信すると、所定の緊急通報受理機関に緊急通報を送信する。なお、緊急通報の送信は、例えば、緊急通報発呼部１０２から受信後すぐ行われてもよいし、位置情報処理部１０５から位置情報を受信後に、前記緊急通報及び前記端末の位置情報を所定の緊急通報先へまとめて送信してもよい。
【００４９】
端末通信部１０１は、例えば、通信装置１１から位置情報を受信する機能を備える。端末通信部１０１は、位置情報処理部１０５から位置情報を受信すると、所定の緊急通報受理機関に位置情報を送信する。
【００５０】
端末通信部１０１は、これらの機能のほか、種々の信号を送受信可能な機能を備える。
【００５１】
緊急通報発呼部１０２は、端末通信部１０１を介して、緊急通報を送信する機能を備える。緊急通報発呼部１０２は、例えば、端末１０のユーザによる動作に応じて、端末通信部１０１を介して、所定の緊急通報を送信する。
【００５２】
緊急通報認識部１０３は、端末１０が緊急通報を送信したことを認識する。緊急通報認識部１０３は、例えば、緊急通報発呼部１０２からの通知に基づいて、緊急通報を送信したことを認識する。緊急通報認識部１０３は、緊急通報発呼部１０２による緊急通報の送信を検知することに応じて、端末機能制御部１０４に対して、緊急通報の送信を認識したことを通知する。緊急通報認識部１０３は、例えば、緊急通報に利用される特定の電話番号（１１０や１１９など）が端末１０に入力され、発信が行われたことを検知することにより、端末機能制御部１０４に対して、緊急通報の送信を認識したことを通知する。
【００５３】
端末機能制御部１０４は、端末１０に含まれる種々の機能を制御する。端末機能制御部１０４は、端末１０に含まれる種々の機能の起動や終了を制御する。端末制御部１０４は、例えば、緊急通報認識部１０３からの要求に応じて、位置情報処理部１０５を起動する。端末機能制御部１０４は、例えば、緊急通報認識部１０３からの要求に応じて、位置情報処理部１０５に対して、位置情報を取得する機能の起動を要求してもよい。
【００５４】
位置情報処理部１０５は、端末機能制御部１０４からの要求に応じて、位置情報の取得を開始し、端末１０の位置情報を算出する。位置情報処理部１０５は、端末機能制御部１０４からの要求に応じて、通信装置１１からの位置情報の取得を開始する。位置情報処理部１０５は、取得した位置情報を、端末通信部１０１を介して、所定の緊急通報受理機関へ通知する。位置情報処理部１０５は、複数の通信装置１１からの位置情報を取得し、端末１０の位置を算出してもよい。この場合、位置情報処理部１０５は、算出した端末１０の位置に関する情報を、端末通信部１０１を介して、所定の緊急通報受理機関へ通知する。なお、所定の緊急通報受理機関は、緊急通報発呼部１０２が緊急通報を通知した当該緊急通報受理機関である。
【００５５】
また、位置情報処理部１０５は、ＧＰＳ衛星２０から所定の信号（ＧＰＳ情報）を受信してもよい。位置情報処理部１０５は、複数のＧＰＳ衛星２０から所定の信号を受信し、端末１０の位置を算出する。この場合、位置情報処理部１０５は、算出した端末１０の位置に関する情報を、端末通信部１０１を介して、所定の緊急通報受理機関へ通知する。
【００５６】
上記の通り、第１の実施形態の端末１０は、緊急通報発呼部１０２が緊急通報を送信したことに応じて、位置情報処理部１０５の起動を要求する。したがって、緊急通報が送信された際に位置情報処理部１０５が起動していない場合であっても、当該位置情報処理部１０５を起動し、端末１０の位置情報を取得することができるようになる。
【００５７】
図５は、第１の実施形態における通信装置１１の構成例を示す図である。図５に示すように、通信装置１１は、通信装置通信部１１１と、位置情報配信部１１２とを含む。
【００５８】
通信装置通信部１１１は、通信装置１１の位置に関する情報（位置情報）を、端末１０へ通知する。通信装置通信部１１１は、例えば、端末１０から、位置情報の送信要求（位置情報要求）を受信する。通信装置通信部１１１は、位置情報配信部１１２から通知された位置情報を、位置情報要求を送信した端末に対して送信する。通信装置通信部１１１は、これらの機能のほか、種々の信号を送受信可能な機能を備える。
【００５９】
位置情報配信部１１２は、通信装置通信部１１１を介して、通信装置１１の位置情報を送信する。位置情報配信部１１２は、所定の要求を受信したことに応じて、通信装置通信部１１１を介して、位置情報を送信する。位置情報配信部１１２は、常時、位置情報を送信してもよい。なお、位置情報配信部１１２は、所定の間隔で、位置情報を送信してもよい。位置情報配信部１１２が通知する位置情報は、例えば、通信装置１１の緯度及び経度である。
【００６０】
図６は、第１の実施形態におけるＧＰＳ衛星２０の構成例を示す図である。図６に例示するように、ＧＰＳ衛星２０は、ＧＰＳ衛星通信部２０１と、ＧＰＳ情報配信部２０２を含む。
【００６１】
ＧＰＳ衛星通信部２０１は、端末１０に対して、所定の信号を送信する。
【００６２】
ＧＰＳ情報配信部２０２は、ＧＰＳ衛星通信部２０１を介して、端末１０に対して、所定の信号（ＧＰＳ情報）を送信する。ＧＰＳ情報配信部２０２は、所定の間隔で、端末１０に対して、所定の信号（ＧＰＳ情報）を送信する。
【００６３】
［動作の説明］
本願発明の第１の実施形態において、端末１０が位置情報を取得する動作について、図７を参照して説明する。
【００６４】
図７は、第１の実施形態の通信システムの動作例を示すシーケンス図である。
【００６５】
端末１０の緊急通報発呼部１０２が、端末通信部１０１を介して、緊急通報を発呼する（Ｓ１−１）。発呼された緊急通報は、優先度の高い信号（“Ｅｍｅｒｇｅｎｃｙ  Ａｔｔａｃｈ”）として、基地局３０に送信される（Ｓ１−２）。“Ｅｍｅｒｇｅｎｃｙ  Ａｔｔａｃｈ”は、「Ａｔｔａｃｈ  Ｔｙｐｅ＝“Ｅｍｅｒｇｅｎｃｙ”」及び「Ｒｅｑｕｅｓｔ  Ｔｙｐｅ＝“Ｅｍｅｒｇｅｎｃｙ”」がセットされたＡｔｔａｃｈ  Ｒｅｑｕｅｓｔである。
【００６６】
端末１０の緊急通報認識部１０３が、端末１０が緊急通報を送信したことに応じて（Ｓ１−３）、端末機能制御部１０４に対して、位置情報処理部１０５の起動を要求する。
【００６７】
端末１０の端末機能制御部１０４は、緊急通報認識部１０３からの要求に応じて、位置情報処理部１０５を起動する（Ｓ１−４の“位置情報取得機能を起動”）。位置情報処理部１０５は、例えば、通信装置１１またはＧＰＳ衛星２０に対して、位置情報要求を送信してもよい。
【００６８】
端末１０の位置情報処理部１０５は、通信装置１１からの位置情報、又は、ＧＰＳ衛星２０からのＧＰＳ情報を受信し（Ｓ１−５）、受信した位置情報、又は、ＧＰＳ情報に基づいて、端末１０の位置を算出する（Ｓ１−６）。
【００６９】
端末１０の位置情報処理部１０５は、算出した端末１０の位置に関する情報（位置情報）を、基地局３０を介して、緊急通報先（緊急通報受理機関）へ通知する（Ｓ１−７）。
【００７０】
上記の通り、本発明の第１の実施形態では、端末１０が、緊急通報を発呼したことに応じて、自装置（端末１０）の位置情報を処理するための機能（位置情報処理部１０５）を起動する。そのため、端末１０は、例えば、緊急通報を発呼した際に位置情報を処理するための機能が起動されていなくても、緊急通報を発呼したことに応じて当該機能を起動し、当該端末１０の位置情報を算出することができる。そのため、端末１０は、緊急通報受理機関に対して、自装置（端末１０）の位置情報を通知することが可能となる。
【００７１】
［第２の実施形態］
［構成の説明］
本発明の第２の実施形態は、基地局３０が、端末１２が発呼した緊急通報を認識する場合の実施形態である。なお、第２の実施形態の技術は、第１の実施形態、後述の実施形態のいずれにも適用可能である。
【００７２】
図８は、第２の実施形態の通信システムの構成例を示す図である。図８に示すように、第２の実施形態の通信システムは、端末１２と、通信装置１３と、基地局３０と、各ネットワークノード（ＭＭＥ５０、Ｓ−ＧＷ９０、Ｐ−ＧＷ９５）と、ＩＭＳ  ＮＷと、パケットＮＷ  ＶＰＮと、電話ＮＷと、緊急通報先（緊急通報受理機関）を含む。なお、第２の通信システムは、ＧＰＳ衛星２０を含んでいてもよい。
【００７３】
第２の実施形態において、基地局３０は、端末１２から緊急通報を受信したことに応じて、当該端末１２に対して、所定の機能を起動することを要求する信号を送信する。所定の機能は、例えば、端末１２に含まれる位置情報取得機能や、デバイス間通信機能である。
【００７４】
端末１２は、基地局３０から所定の機能を起動することを要求する信号を受信したことに応じて、当該所定の機能を起動する。端末１２は、例えば、基地局３０から位置情報取得機能の起動を要求する信号を受信したことに応じて、当該位置情報取得機能を起動し、通信装置１３から通知される位置情報の取得を開始する。
【００７５】
また、第２の実施形態において、基地局３０は、端末１２から緊急通報を受信したことに応じて、通信装置１３に対して、位置情報を配信する機能を起動するための要求を送信する。基地局３０は、例えば、当該基地局３０に接続する通信装置１３に対して、当該位置情報を配信する機能を起動するための要求を送信する。
【００７６】
通信装置１３は、基地局３０から位置情報を配信する機能を起動するための要求を受信したことに応じて、当該位置情報を配信する機能を起動し、端末１２に対する位置情報の配信を開始する。
【００７７】
図９は、第２の実施形態における端末１２の構成例を示す図である。図９に示すように、端末１２は、端末通信部１０１と、緊急通報発呼部１０２と、端末機能制御部１０４と、位置情報処理部１０５とを含む。
【００７８】
端末通信部１０１は、例えば、緊急通報を送信する機能を備える。端末通信部１０１は、緊急通報発呼部１０２から緊急通報を受信すると、所定の緊急通報受理機関に緊急通報を送信する。なお、緊急通報の送信は、例えば、緊急通報発呼部１０２から受信後すぐ行われてもよいし、位置情報処理部１０５から位置情報を受信後に、前記緊急通報及び前記端末の位置情報を所定の緊急通報先へまとめて送信してもよい。
【００７９】
端末通信部１０１は、例えば、通信装置１３から位置情報を受信する機能を備える。端末通信部１０１は、位置情報処理部１０５から位置情報を受信すると、所定の緊急通報受理機関に位置情報を送信する。
【００８０】
端末通信部１０１は、例えば、基地局３０から、位置情報取得機能の起動を要求する信号を受信する。端末通信部１０１は、基地局３０から位置情報取得機能の起動の要求を受信すると、端末機能制御部１０４へ該要求を送信する。
【００８１】
端末通信部１０１は、これらの機能のほか、種々の信号を送受信可能な機能を備える。
【００８２】
緊急通報発呼部１０２は、端末通信部１０１を介して、緊急通報を送信する機能を備える。緊急通報発呼部１０２は、例えば、端末１０のユーザによる動作に応じて、端末通信部１０１を介して、所定の緊急通報を送信する。
【００８３】
端末機能制御部１０４は、端末通信部１０１が、基地局３０から位置情報取得機能の起動を要求する信号を受信したことに応じて、位置情報処理部１０５の機能を起動する。端末機能制御部１０４は、例えば、基地局３０から位置情報取得機能の起動を要求する信号を受信したことに応じて、位置情報処理部１０５に対して、位置情報の取得を要求する信号を送信してもよい。
【００８４】
端末機能制御部１０４は、基地局３０から位置情報取得機能の起動を要求する信号を受信したことに応じて、端末通信部１０１に含まれるデバイス間通信機能を起動する。デバイス間通信機能は、例えば、端末１２が通信装置１３と通信するために使用するインターフェースである。
【００８５】
位置情報処理部１０５は、端末機能制御部１０４からの要求に応じて、端末通信部１０１に含まれるデバイス間通信機能（インターフェース）を介して、位置情報の取得を開始する。位置情報処理部１０５は、例えば、取得した位置情報に基づいて、端末１２の位置を算出する。端末１２は、例えば、複数の通信装置１３から位置情報を取得し、取得した位置情報に基づいて、当該端末１２の位置を算出する。なお、端末１２は、基地局３０から位置情報取得機能の起動を要求する信号を受信したことに応じて、ＧＰＳ衛星２０からのＧＰＳ情報の受信を開始し、当該端末１２の位置を算出してもよい。
【００８６】
位置情報処理部１０５は、算出した端末１２の位置に関する情報を、端末通信部１０１を介して、緊急通報先に向けて送信する。
【００８７】
図１０は、第２の実施形態における通信装置１３の構成例を示す図である。通信装置１３は、通信装置通信部１１１と、位置情報配信部１１２と、通信装置機能制御部１３３を含む。
【００８８】
通信装置通信部１１１は、通信装置１３の位置に関する情報（位置情報）を、端末１２へ通知する。通信装置通信部１１１は、端末１２から、位置情報の送信要求（位置情報要求）を受信する。通信装置通信部１１１は、位置情報配信部１１２から通知された位置情報を、位置情報要求を送信した端末１２に対して送信する。通信装置通信部１１１は、これらの機能のほか、種々の信号を送受信可能な機能を備える。
【００８９】
通信装置機能制御部１３３は、通信装置通信部１１１が基地局３０から位置情報取得機能の起動を要求する信号を受信したことに応じて、位置情報配信部１１２を起動する。通信装置機能制御部１３３は、基地局３０から位置情報を配信する機能を起動するための要求を受信したことに応じて、位置情報配信部１１２に対して、位置情報の配信の開始を要求してもよい。
【００９０】
通信装置機能制御部１３３は、基地局３０から位置情報を配信する機能を起動するための要求を受信したことに応じて、通信装置通信部１１１に含まれるデバイス間通信機能を起動する。デバイス間通信機能は、例えば、通信装置１３が端末１２と通信するために使用するインターフェースである。
【００９１】
位置情報配信部１１２は、通信装置機能制御部１３３によって起動された場合に、通信装置通信部１１１に含まれるデバイス間通信機能（インターフェース）を介して、端末１２に対して位置情報を配信する。位置情報配信部１１２は、通信装置機能制御部１３３から位置情報の配信の開始を要求されたことに応じて、端末１２に対する位置情報の配信を開始する。
【００９２】
図１１は、第２の実施形態における基地局３０の構成例を示す図である。図１１に示すように、基地局３０は、基地局通信部３０１と、基地局メッセージ処理部３０２と、基地局緊急通報認識部３０３と、端末機能制御指示部３０４を含む。
【００９３】
基地局通信部３０１は、端末１２と接続し、当該端末１２との間で、種々の信号を送受信する機能を含む。基地局通信部３０１は、例えば、端末１２から緊急通報を受信する機能を備える。基地局通信部３０１は、例えば、端末１２に対して、所定の機能を起動することを要求する信号を送信する。所定の機能とは、例えば、端末１２に含まれる位置情報取得機能や、デバイス間通信機能である。
【００９４】
基地局通信部３０１は、通信装置１３と接続し、当該通信装置１３との間で、種々の信号を送受信する機能を含む。基地局通信部３０１は、例えば、通信装置１３に対して、位置情報の配信を要求するための信号を送信する。
【００９５】
基地局メッセージ処理部３０２は、基地局３０が送受信する信号を処理する機能を備える。基地局メッセージ処理部３０２は、例えば、端末１２から緊急通報を受信したことに応じて、当該緊急通報をＳ−ＧＷ９０等のネットワークノードに転送する。基地局メッセージ処理部３０２は、例えば、端末機能制御指示部３０４から所定の信号を受信したことに応じて、当該所定の信号を、基地局通信部３０１を介して端末１２に送信する。所定の信号とは、例えば、“位置情報取得機能の起動を要求する信号”である。
【００９６】
基地局緊急通報認識部３０３は、基地局３０が緊急通報を受信したことを認識する。基地局緊急通報認識部３０３は、例えば、基地局メッセージ処理部３０２が緊急通報を受信したことを検知する。基地局緊急通報認識部３０３は、例えば、基地局メッセージ処理部３０２から、緊急通報を受信した旨を通知されたことに応じて、基地局３０が緊急通報を受信したことを検知してもよい。基地局緊急通報認識部３０３は、緊急通報の受信を認識したことに応じて、端末機能制御指示部３０４に対して、所定の信号を送信する旨を指示する。なお、基地局緊急通報認識部３０３は、緊急通報の受信を認識したことに応じて、当該緊急通報の受信を認識した旨を、端末機能制御指示部３０４に通知してもよい。
【００９７】
なお、所定の信号は、例えば、“端末１２に位置情報取得機能の起動を要求する信号”である。所定の信号は、例えば、“通信装置１３に位置情報の配信を要求するための信号”である。
【００９８】
端末機能制御指示部３０４は、基地局緊急通報認識部３０３から所定の信号の送信を要求されたことに応じて、基地局通信部３０１及び基地局メッセージ処理部３０２を介して当該所定の信号を送信する。端末機能制御指示部３０４は、例えば、基地局緊急通報認識部３０３からの要求に応じて、“位置情報取得機能の起動を要求する信号”を、当該端末１２に送信する。端末機能制御指示部３０４は、例えば、基地局緊急通報認識部３０３からの要求に応じて、“位置情報の配信を要求するための信号”を、当該通信装置１３に送信する。なお、端末機能制御指示部３０４は、緊急通報の受信を認識した旨の通知を受けたことに応じて、所定の信号を送信してもよい。
【００９９】
［動作の説明］
本願発明の第２の実施形態において、端末１２が位置情報を取得する動作について、図１２を参照して説明する。
【０１００】
図１２は、第２の実施形態の通信システムの動作例を示すシーケンス図である。
【０１０１】
端末１２の緊急通報発呼部１０２が、端末通信部１０１を介して、緊急通報を送信（発呼）する（Ｓ２−１）。発呼された緊急通報は、優先度の高い信号（“Ｅｍｅｒｇｅｎｃｙ  Ａｔｔａｃｈ”）として、基地局３０を介して、ＭＭＥ５０に転送される（Ｓ２−２）。
【０１０２】
基地局３０の基地局緊急通報認識部３０３は、端末１２から緊急通報を受信したことを認識し（Ｓ２−３）、端末機能制御指示部３０４に対して、当該緊急通報を受信した旨を通知する。
【０１０３】
基地局３０の端末機能制御指示部３０４は、緊急通報を受信した旨の通知を受けた場合に、端末１２に対して、所定の機能の起動を指示する（Ｓ２−４の“端末機能起動指示”）。例えば、端末機能制御指示部３０４は、緊急通報を受信した旨の通知を受けた場合に、端末１２に対して、“位置情報取得機能の起動を要求する信号”を送信する。
【０１０４】
端末１２の端末機能制御部１０４は、基地局３０からの指示に応じて、所定の機能を起動する（Ｓ２−５）。所定の機能は、例えば、端末１２に含まれる位置情報取得機能（位置情報処理部１０５）、及び、デバイス間通信機能（端末通信部１０１に含まれるデバイス間通信用のインターフェース）である。
【０１０５】
また、基地局３０の端末機能制御指示部３０４は、緊急通報を受信した旨の通知を受けた場合に、通信装置１３に対して、所定の機能の起動を指示する（Ｓ２−６の“端末機能起動指示”）。例えば、端末機能制御指示部３０４は、緊急通報を受信した旨の通知を受けた場合に、通信装置１３に対して、“位置情報の配信を要求するための信号”を送信する。
【０１０６】
通信装置１３の通信装置機能制御部１３３は、基地局３０からの指示に応じて、所定の機能を起動する（Ｓ２−７）。所定の機能は、例えば、通信装置１３に含まれる位置情報配信機能（位置情報配信部１１２）、及び、デバイス間通信機能（通信装置通信部１１１に含まれるデバイス間通信用のインターフェース）である。
【０１０７】
端末１２の位置情報処理部１０５は、端末通信部１０１のデバイス間通信機能を介して、通信装置１３に対してセッション確立要求を送信する（Ｓ２−８）。なお、セッション確立要求は、端末１２の端末機能制御部１０４によって送信されてもよい。
【０１０８】
通信装置１３の通信装置機能制御部１３３は、セッション確立要求を受信したことに応じて、通信装置通信部１１１のデバイス間通信機能を介して、端末１２に対してセッション確立応答を送信する（Ｓ２−９）。
【０１０９】
端末１２の位置情報処理部１０５は、確立したセッションを用いて、通信装置１３に対して位置情報を要求するための信号を送信する（Ｓ２−１０）。
【０１１０】
通信装置１３は、端末１２から位置情報を要求されたことに応じて、端末１２に対して、位置情報を通知する（Ｓ２−１１）。
【０１１１】
端末１２の位置情報処理部１０５は、通信装置１３から位置情報を受信したことに応じて、当該端末１２の位置を算出し、算出した位置に関する情報を基地局３１を介して緊急通報先に送信する（Ｓ２−１２）。
【０１１２】
上記の通り、本発明の第２の実施形態では、基地局３０が、端末１２が発呼した緊急通報を認識し、当該端末１２に対して、位置情報を処理するための機能（位置情報処理部１０５）の起動を指示する。そのため、端末１２は、例えば、緊急通報を発呼した際に位置情報を処理するための機能が起動されていなくても、基地局３０からの指示に基づいて位置情報を取得する機能を起動し、当該端末１２の位置情報を算出することができる。そのため、端末１２は、緊急通報受理機関に対して、自装置（端末１２）の位置情報を通知することが可能となる。
【０１１３】
［第３の実施形態］
［構成の説明］
本発明の第３の実施形態は、ＭＥＣ（Ｍｏｂｉｌｅ  Ｅｄｇｅ  Ｃｏｍｐｕｔｉｎｇ）４０が、端末１２が発呼した緊急通報を認識する場合の実施形態である。なお、第３の実施形態の技術は、第１の実施形態、第２の実施形態、後述の実施形態のいずれにも適用可能である。
【０１１４】
図１３は、第３の実施形態の通信システムの構成例を示す図である。図１３に例示するように、通信システムは、端末１２と、通信装置１３と、基地局３１と、ＭＥＣ４０と、ＭＭＥ５０と、ＭＴＣ−ＩＷＦ（Ｍａｃｈｉｎｅ  Ｔｙｐｅ  Ｃｏｍｍｕｎｉｃａｔｉｏｎ  Ｉｎｔｅｒ  Ｗｏｒｋｉｎｇ  Ｆｕｎｃｔｉｏｎ）６０と、Ｓ−ＧＷ９０と、Ｐ−ＧＷ９５と、ＩＭＳ  ＮＷと、パケットＮＷ  ＶＰＮと、電話ＮＷと、緊急通報先（緊急通報受理機関）を含む。なお、第３の実施形態の通信システムは、ＧＰＳ衛星２０を含んでいてもよい。
【０１１５】
ＭＥＣ４０は、モバイル網のエッジに位置する基地局などにコンピューティングリソースやストレージを配備することで、物理的にユーザに近い場所で各種アプリケーションやサービスの提供を可能にするものである。もちろん、ＭＴＣアプリケーションをホストするサーバとしても機能する。
【０１１６】
第３の実施形態において、ＭＥＣ４０は、端末１２と通信装置１３との間のベアラの確立を指示するための信号を、基地局３１に通知する。なお、ＭＥＣ４０は、当該信号を、ＭＭＥ５０に通知してもよい。
【０１１７】
基地局３１は、ＭＥＣ４０からのベアラの確立を指示するための信号を受信したことに応じて、“Ｐａｇｉｎｇ”を送信する。なお、“Ｐａｇｉｎｇ”は、例えば、モバイル網の外部（データパケットネットワークなど）から、モバイル網内に存在する端末１２を呼び出すために用いられる制御信号である。
【０１１８】
端末１２ならびに通信装置１３は、“Ｐａｇｉｎｇ”を受信したことに応じて、それぞれＭＥＣ４０との間にベアラを確立するため、端末１２ならびに通信装置１３はそれぞれ当該ＭＥＣ４０に対して、制御信号（例えば、“Ｓｅｒｖｉｃｅ  Ｒｅｑｕｅｓｔ”）を送信する。
【０１１９】
また、第３の実施形態において、ＭＥＣ４０は、端末１２による緊急通報の発呼を認識したことに応じて、当該端末１２ならびに通信装置１３に対して、所定の機能を起動することを要求する信号を送信する。所定の機能は、例えば、端末１２に含まれる位置情報取得機能や、デバイス間通信機能である。所定の機能は、例えば、通信装置１３に含まれる位置情報配信機能（位置情報配信部１１２）、及び、デバイス間通信機能（通信装置通信部１１１に含まれるデバイス間通信用のインターフェース）である。
【０１２０】
端末１２は、ＭＥＣ４０から所定の機能を起動することを要求する信号を受信したことに応じて、当該所定の機能を起動する。端末１２は、例えば、基地局３１から位置情報取得機能の起動を要求する信号を受信したことに応じて、当該位置情報取得機能を起動し、通信装置１３から通知される位置情報の取得を開始する。
【０１２１】
また、第３の実施形態において、ＭＥＣ４０は、端末１２による緊急通報の発呼を認識したことに応じて、通信装置１３に対して、位置情報を配信する機能を起動するための要求を送信する。ＭＥＣ４０は、例えば、当該基地局３１に接続する通信装置１３に対して、当該位置情報を配信する機能を起動するための要求を送信する。
【０１２２】
通信装置１３は、基地局３１から位置情報を配信する機能を起動するための要求を受信したことに応じて、当該位置情報を配信する機能を起動し、端末１２に対する位置情報の配信を開始する。
【０１２３】
ＭＴＣ−ＩＷＦ６０は、例えば、ネットワークノードから受け付ける制御シグナリングを処理する機能（Ｃ−Ｐｌａｎｅ機能）やネットワークノードとモバイル網をセキュアに接続する機能を有する。ＭＴＣ−ＩＷＦ６０は、例えば、ＨＳＳと連携して制御シグナリングの認証を行う機能や、モバイル網内の適切な機能を起動するように制御シグナリングの変換を行う機能、また、サービスの使用状況に応じて課金のための情報を生成する機能を備える。
【０１２４】
第３の実施形態において、ＭＴＣ−ＩＷＦ６０は、ＭＥＣ４０からの要求に応じて、端末１２の認証処理を行う機能を備える。ＭＴＣ−ＩＷＦ６０は、ＭＥＣ４０から“Ｐａｇｉｎｇ  Ｒｅｑｕｅｓｔ”を受信し、当該“Ｐａｇｉｎｇ  Ｒｅｑｕｅｓｔ”に関する認証処理を実行する。ＭＴＣ−ＩＷＦ６０は、認証が成功したことに応じて、ＭＭＥ５０に対して、当該“Ｐａｇｉｎｇ  Ｒｅｑｕｅｓｔ”を転送する。
【０１２５】
図１４は、第３の実施形態の基地局３１の構成例を示す図である。基地局３１は、基地局通信部３０１と、基地局メッセージ処理部３０２を含む。
【０１２６】
基地局メッセージ処理部３０２は、端末１２にＰａｇｉｎｇを送信する旨の要求を受信したことに応じて、基地局通信部３０１を介して、当該Ｐａｇｉｎｇを送信する。
【０１２７】
図１５は、第３の実施形態のＭＥＣ４０の構成例を示す図である。図１５に例示するように、ＭＥＣ４０は、ＭＥＣ通信部４０１と、ＭＥＣメッセージ処理部４０２と、ＭＥＣ緊急通報認識部４０３と、端末呼出し制御指示部４０４と、端末情報記憶部４０５と、ＭＥＣ端末機能制御指示部４０６を含む。
【０１２８】
ＭＥＣ通信部４０１は、基地局３１と接続し、当該基地局３１との間で制御信号を送受信する機能を含む。また、ＭＥＣ通信部４０１は、ＭＭＥ５０と接続し、当該ＭＭＥ５０との間で、制御信号を送受信する機能を含む。
【０１２９】
ＭＥＣメッセージ処理部４０２は、基地局３１又はＭＭＥ５０から受信する制御信号を処理する機能を備える。ＭＥＣメッセージ処理部４０２は、例えば、基地局３１から緊急通報を受信したことに応じて、当該緊急通報をＭＥＣ緊急通報認識部４０３に通知する。なお、ＭＥＣメッセージ処理部４０２は、基地局３１から緊急通報を受信したことに応じて、当該緊急通報を受信したことを示す信号を、当該ＭＥＣ緊急通報認識部４０３に通知してもよい。
【０１３０】
ＭＥＣ緊急通報認識部４０３は、緊急通報を受信したことを認識する。ＭＥＣ緊急通報認識部４０３は、例えば、ＭＥＣメッセージ処理部４０２が緊急通報を受信したことを検知する。ＭＥＣ緊急通報認識部４０３は、例えば、ＭＥＣメッセージ処理部４０２から、緊急通報を受信した旨を通知されたことに応じて、緊急通報を受信したことを検知してもよい。
【０１３１】
ＭＥＣ緊急通報認識部４０３は、緊急通報を認識したことに応じて、端末呼出し制御指示部４０４に対して、端末１２とＭＥＣ４０との間のベアラ、および通信装置１３とＭＥＣ４０との間のベアラの確立を要求する。
【０１３２】
端末呼出し制御指示部４０４は、ＭＥＣ緊急通報認識部４０３からの要求に応じて、端末情報記憶部４０５を参照して、当該緊急通報を送信した端末１２を特定し、ＭＥＣ緊急通報認識部４０３に通知する。ＭＥＣ緊急通報認識部４０３は、特定した端末１２とＭＥＣ４０との間のベアラ、および通信装置１３とＭＥＣ４０との間のベアラの確立を指示するための信号（Ｐａｇｉｎｇ）の送信要求（Ｐａｇｉｎｇ  Ｒｅｑｕｅｓ）を、基地局３１に通知する。なお、ＭＥＣ緊急通報認識部４０３は、当該ベアラの確立を指示するための信号（Ｐａｇｉｎｇ）の送信要求（Ｐａｇｉｎｇ  Ｒｅｑｕｅｓ）を、ＭＴＣ−ＩＷＦ６０に通知してもよい。また、ＭＥＣ緊急通報認識部４０３は、例えば、当該ベアラの確立を指示するための信号（Ｐａｇｉｎｇ）を、ＭＭＥに通知してもよい。
【０１３３】
端末情報記憶部４０５は、端末１２に関する情報ならびに通信装置１３に関する情報を記憶する。
【０１３４】
また、ＭＥＣ緊急通報認識部４０３は、緊急通報を認識したことに応じて、ＭＥＣ端末機能制御指示部４０６対して、“端末１２に所定の信号を送信する旨の指示”を行うことを要求する。なお、所定の信号は、例えば、“端末１２に位置情報取得機能の起動を要求する信号”である。所定の信号は、例えば、“通信装置１３に位置情報の配信を要求するための信号”である。
【０１３５】
ＭＥＣ端末機能制御指示部４０６は、ＭＥＣ緊急通報認識部４０３から所定の信号の送信を要求されたことに応じて、ＭＥＣ通信部４０１を介して当該所定の信号を送信する。ＭＥＣ端末機能制御指示部４０６は、例えば、ＭＥＣ緊急通報認識部４０３からの要求に応じて、“位置情報取得機能の起動を要求する信号”を、当該端末１２に送信する。ＭＥＣ端末機能制御指示部４０６は、例えば、ＭＥＣ緊急通報認識部４０３からの要求に応じて、“位置情報の配信を要求するための信号”を、当該通信装置１３に送信する。
【０１３６】
図１６は、第３の実施形態のＭＭＥ５０の構成例を示す図である。図１６に例示するように、ＭＭＥ５０は、ＭＭＥ信号処理部５０１と、ＭＭＥ制御部５０２を含む。
【０１３７】
ＭＭＥ制御部５０２は、Ｃ−Ｐｌａｎｅに相当する機能を備える。通信用のセッションの設定・解放、ハンドオーバの制御等などの制御シグナリングを処理する機能を有する。ＭＭＥ制御部５０２は、ＭＭＥ信号処理部５０１を介して、制御シグナリングを送受信する。
【０１３８】
ＭＭＥ制御部５０２は、ＭＴＣ−ＩＷＦ６０から“Ｐａｇｉｎｇ  Ｒｅｑｕｅｓｔ”を受信したことに応じて、所定の基地局３１に対して、“Ｐａｇｉｎｇ”を送信する。なお、ＭＭＥ制御部５０２は、所定の基地局３１に対して、当該“Ｐｇｉｎｇ”を送信する旨を指示してもよい。なお、所定の基地局３１は、例えば、“Ｐａｇｉｎｇ”の宛先である端末１２ならびに通信装置１３が接続している基地局３１である。所定の基地局３１は、１つに限られず、複数の基地局３１であってもよいし、ＭＭＥ５０に接続する全ての基地局３１であってもよい。
【０１３９】
図１７は、第３の実施形態のＭＴＣ−ＩＷＦ６０の構成例を示す図である。図１７に例示するように、ＭＴＣ−ＩＷＦ６０は、ＭＴＣ信号処理部６０１と、ＭＴＣ制御部６０２を含む。
【０１４０】
ＭＴＣ制御部６０２は、ＭＴＣ信号処理部６０１を介して受信したＣ−Ｐｌａｎｅ上の制御信号を認証する。ＭＴＣ制御部６０２は、例えば、ＭＴＣ信号処理部６０１を介して受信した“Ｐａｇｉｎｇ  Ｒｅｑｕｅｓｔ”を認証する。ＭＴＣ制御部６０２は、“Ｐａｇｉｎｇ  Ｒｅｑｕｅｓｔ”の認証に成功した場合に、当該“Ｐａｇｉｎｇ  Ｒｅｗｕｅｓｔ”をＭＭＥ５０に送信する。
【０１４１】
［動作の説明］
本願発明の第３の実施形態において、端末１２が位置情報を取得する動作について、図１８を参照して説明する。
【０１４２】
図１８は、第３の実施形態の通信システムの動作例を示すシーケンス図である。
【０１４３】
端末１２の緊急通報発呼部１０２が、端末通信部１０１を介して、緊急通報を発呼する（Ｓ３−１）。発呼された緊急通報は、優先度の高い信号（“Ｅｍｅｒｇｅｎｃｙ  Ａｔｔａｃｈ”）として、基地局３１を介して、ＭＭＥ５０に転送される（Ｓ３−２）。
【０１４４】
基地局３１は、“Ｅｍｅｒｇｅｎｃｙ  Ａｔｔａｃｈ”を受信した場合に、ＭＥＣ４０に対して、緊急通報を受信した旨を通知する（Ｓ３−３）。なお、基地局３１は、“Ｅｍｅｒｇｅｎｃｙ  Ａｔｔａｃｈ”をそのまま、ＭＥＣ４０に転送してもよい。
【０１４５】
ＭＥＣ４０のＭＥＣ緊急通報認識部４０３は、基地局３１から“緊急通報を受信した旨”の通知を受けたことに応じて、緊急通報を受信したことを認識し（Ｓ３−４）、端末呼出し制御指示部４０４に対して、端末１２とＭＥＣ４０との間のベアラ、および通信装置１３とＭＥＣ４０との間のベアラの確立を要求する。
【０１４６】
ＭＥＣ４０の端末呼出し制御指示部４０４は、ＭＥＣ緊急通報認識部４０３からの要求に応じて、端末情報記憶部４０５を参照して、当該緊急通報を送信した端末１２を特定する（Ｓ３−５）。
【０１４７】
ＭＥＣ４０の端末呼出し制御指示部４０４は、特定した端末１２とＭＥＣ４０との間のベアラ、および通信装置１３とＭＥＣ４０との間のベアラの確立を指示するための信号（Ｐａｇｉｎｇ）の送信要求を、ＭＣＴ−ＩＷＦ６０に対して送信する（Ｓ３−６の“Ｐａｇｉｎｇｇ  Ｒｅｑｕｅｓｔ”）。
【０１４８】
ＭＴＣ−ＩＷＦ６０のＭＴＣ制御部６０２は、受信した“Ｐａｇｉｎｇ  Ｒｅｑｕｅｓｔ”の認証処理を実行する（Ｓ３−７）。ＭＴＣ制御部６０２は、認証に成功した場合には、当該“Ｐａｇｉｎｇ  Ｒｅｑｕｅｓｔ”をＭＭＥ５０に転送する（Ｓ３−８）。
【０１４９】
ＭＭＥ５０のＭＭＥ制御部５０２は、“Ｐａｇｉｎｇ  Ｒｅｑｕｅｓｔ”を受信したことに応じて、所定の基地局３１に対して、“Ｐａｇｉｎｇ”を送信する（Ｓ３−９）。
【０１５０】
基地局３１の基地局メッセージ処理部３０２は、ＭＭＥ５０から“Ｐａｇｉｎｇ”を受信したことに応じて、端末１２及び通信装置１３に対して、“Ｐａｇｉｎｇ”を送信する（Ｓ３−１０）。
【０１５１】
端末１２の端末機能制御部１０４と、通信装置１３の通信装置機能制御部１３３は、基地局３１から“Ｐａｇｉｎｇ”を受信したことに応じて、ベアラの確立のための処理を実行する（Ｓ３−１１の“Ｓｅｒｖｉｃｅ  Ｒｅｑｕｅｓｔ  Ｐｒｏｃｅｄｕｒｅ”）。
【０１５２】
ＭＥＣ４０のＭＥＣ端末機能制御指示部４０６は、“位置情報取得機能の起動を要求する信号”を、当該端末１２に送信する（Ｓ３−１２）。
【０１５３】
端末１２の端末機能制御部１０４は、ＭＥＣ４０からの指示に応じて、所定の機能を起動する（Ｓ３−１３）。所定の機能は、例えば、端末１２に含まれる位置情報取得機能（位置情報処理部１０５）、及び、デバイス間通信機能（端末通信部１０１に含まれるデバイス間通信用のインターフェース）である。
【０１５４】
また、ＭＥＣ４０のＭＥＣ端末機能制御指示部４０６は、通信装置１３に対して、所定の機能の起動を指示する（Ｓ３−１４の“端末機能起動指示”）。例えば、ＭＥＣ端末機能制御指示部４０６は、緊急通報を受信した旨の通知を受けた場合に、通信装置１３に対して、“位置情報の配信を要求するための信号”を送信する。
【０１５５】
通信装置１３の通信装置機能制御部１３３は、ＭＥＣ４０からの指示に応じて、所定の機能を起動する（Ｓ３−１５）。所定の機能は、例えば、通信装置１３に含まれる位置情報配信機能（位置情報配信部１１２）、及び、デバイス間通信機能（通信装置通信部１１１に含まれるデバイス間通信用のインターフェース）である。
【０１５６】
端末１２の位置情報処理部１０５は、端末通信部１０１のデバイス間通信機能を介して、通信装置１３に対してセッション確立要求を送信する（Ｓ３−１６）。なお、セッション確立要求は、端末１２の端末機能制御部１０４によって送信されてもよい。
【０１５７】
通信装置１３の通信装置機能制御部１３３は、セッション確立要求を受信したことに応じて、通信装置通信部１１１のデバイス間通信機能を介して、端末１２に対してセッション確立応答を送信する（Ｓ３−１７）。
【０１５８】
端末１２の位置情報処理部１０５は、確立したセッションを用いて、通信装置１３に対して位置情報を要求するための信号を送信する（Ｓ３−１８）。
【０１５９】
通信装置１３は、端末１２から位置情報を要求されたことに応じて、端末１２に対して、位置情報を通知する（Ｓ３−１９）。
【０１６０】
端末１２の位置情報処理部１０５は、通信装置１３から位置情報を受信したことに応じて、当該端末１２の位置を算出し、算出した位置に関する情報を基地局３１を介して緊急通報先に送信する（Ｓ３−２０）。
【０１６１】
上記の通り、本発明の第３の実施形態では、ＭＥＣ４０が、端末１２が発呼した緊急通報を認識し、当該端末１２に対して、位置情報を処理するための機能（位置情報処理部１０５）の起動を指示する。また、ＭＥＣ４０は、端末１２が発呼した緊急通報を認識し、通信装置１３に対して、位置情報を配信するための機能の起動を指示する。そのため、端末１２は、例えば、緊急通報を発呼した際に位置情報を処理するための機能が起動されていなくても、ＭＥＣ４０からの指示に基づいて位置情報を取得する機能を起動し、当該端末１２の位置情報を算出することができる。また、通信装置１３は、例えば、位置情報を配信するための機能が起動されていなくても、ＭＥＣ４０からの指示に基づいて位置情報を配信する機能を起動することができる。そのため、端末１２は、緊急通報受理機関に対して、自装置（端末１２）の位置情報を通知することが可能となる。
【０１６２】
［第４の実施形態］
［構成の説明］
本発明の第４の実施形態は、ＭＭＥ５０が、端末１２が発呼した緊急通報を認識する場合の実施形態である。なお、第４の実施形態の技術は、第１の実施形態、第２の実施形態、第３の実施形態、後述の実施形態のいずれにも適用可能である。
【０１６３】
図１９は、第４の実施形態の通信システムの構成例を示す図である。図１９に例示するように、通信システムは、端末１２と、通信装置１３と、基地局３１と、ＭＭＥ５１と、Ｓ−ＧＷ９０と、Ｐ−ＧＷ９５と、ＩＭＳ  ＮＷと、パケットＮＷ  ＶＰＮと、電話ＮＷと、緊急通報先（緊急通報受理機関）を含む。なお、第４の実施形態の通信システムは、ＧＰＳ衛星２０を含んでいてもよい。
【０１６４】
第４の実施形態において、ＭＭＥ５１は、端末１２による緊急通報の発呼を認識したことに応じて、当該端末１２に対して、所定の機能を起動することを要求する信号を送信する。所定の機能は、例えば、端末１２に含まれる位置情報取得機能や、デバイス間通信機能である。
【０１６５】
端末１２は、ＭＭＥ５１から送信された“所定の機能を起動することを要求する信号”を受信したことに応じて、当該所定の機能を起動する。端末１２は、例えば、ＭＭＥ５１から位置情報取得機能の起動を要求する信号を受信したことに応じて、当該位置情報取得機能を起動し、通信装置１３から通知される位置情報の取得を開始する。
【０１６６】
また、第４の実施形態において、ＭＭＥ５１は、端末１２による緊急通報の発呼を認識したことに応じて、通信装置１３に対して、位置情報を配信する機能を起動することを要求する信号を送信する。
【０１６７】
通信装置１３は、ＭＭＥ５１から送信された“位置情報を配信する機能を起動することを要求する信号”を受信したことに応じて、当該位置情報を配信する機能を起動し、端末１２に対する位置情報の配信を開始する。
【０１６８】
図２０は、第４の実施形態のＭＭＥ５１の構成例を示す図である。図２０に例示するように、ＭＭＥ５１は、ＭＭＥ通信部５１１と、ＭＭＥメッセージ処理部５１２と、ＭＭＥ緊急通報認識部５１３と、端末機能制御生成部５１４を含む。
【０１６９】
ＭＭＥ通信部５１１は、基地局３１やＳ−ＧＷ９０と接続し、当該基地局３１やＳ−ＧＷ９０との間で制御信号を送受信する機能を含む。
【０１７０】
ＭＭＥメッセージ処理部５１２は、基地局３１やＳ−ＧＷ９０から受信する制御信号を処理する機能を備える。ＭＭＥメッセージ処理部５１２は、例えば、基地局３１から緊急通報を受信したことに応じて、当該緊急通報をＭＭＥ緊急通報認識部５１３に通知する。なお、ＭＭＥメッセージ処理部５１２は、基地局３１から緊急通報を受信したことに応じて、当該緊急通報を受信したことを示す信号を、当該ＭＭＥ緊急通報認識部５１３に通知してもよい。
【０１７１】
ＭＭＥ緊急通報認識部５１３は、緊急通報を認識したことに応じて、端末機能制御生成部５１４対して、“端末１２に所定の信号を送信する旨の指示”を行うことを要求する。なお、所定の信号は、例えば、“端末１２に位置情報取得機能の起動を要求する信号”である。所定の信号は、例えば、“通信装置１３に位置情報の配信を要求するための信号”である。
【０１７２】
端末機能制御生成部５１４は、ＭＭＥ緊急通報認識部５１３から所定の信号の送信を要求されたことに応じて、ＭＭＥ通信部５１１及びＭＭＥメッセージ処理部５１２を介して当該所定の信号を送信する。端末機能制御生成部５１４は、例えば、ＭＭＥ緊急通報認識部５１３からの要求に応じて、“位置情報取得機能の起動を要求する信号”を、当該端末１２に送信する。端末機能制御生成部５１４は、例えば、ＭＭＥ緊急通報認識部５１３からの要求に応じて、“位置情報の配信を要求するための信号”を、当該通信装置１３に送信する。
【０１７３】
［動作の説明］
本願発明の第４の実施形態において、端末１２が位置情報を取得する動作について、図２１を参照して説明する。
【０１７４】
図２１は、第４の実施形態の通信システムの動作例を示すシーケンス図である。
【０１７５】
端末１２の緊急通報発呼部１０２が、端末通信部１０１を介して、緊急通報を発呼する（Ｓ４−１）。発呼された緊急通報は、優先度の高い信号（“Ｅｍｅｒｇｅｎｃｙ  Ａｔｔａｃｈ”）として、基地局３１を介して（Ｓ４−２）、ＭＭＥ５１に転送される（Ｓ４−３）。
【０１７６】
ＭＭＥ５１のＭＭＥ緊急通報認識部５１３は、端末１２から緊急通報を受信したことを認識し（Ｓ４−４）、端末機能制御生成部５１４に対して、当該緊急通報を受信した旨を通知する。
【０１７７】
ＭＭＥ５１の端末機能制御生成部５１４は、緊急通報を受信した旨の通知を受けた場合に、基地局３１を介して（Ｓ４−５）、端末１２に対して、所定の機能の起動を指示する（Ｓ４−６の“端末機能起動指示”）。所定の機能は、例えば、端末１２に含まれる位置情報取得機能（位置情報処理部１０５）、及び、デバイス間通信機能（端末通信部１０１に含まれるデバイス間通信用のインターフェース）である。
【０１７８】
端末１２の端末機能制御部１０４は、ＭＭＥ５１からの指示に応じて、所定の機能を起動する（Ｓ４−７）。所定の機能は、例えば、端末１２に含まれる位置情報取得機能（位置情報処理部１０５）、及び、デバイス間通信機能（端末通信部１０１に含まれるデバイス間通信用のインターフェース）である。
【０１７９】
また、ＭＭＥ５１の端末機能制御生成部５１４は、通信装置１３に対して、所定の機能の起動を指示する（Ｓ４−８の“端末機能起動指示”）。例えば、端末機能制御生成部５１４は、緊急通報を受信した旨の通知を受けた場合に、通信装置１３に対して、“位置情報の配信を要求するための信号”を送信する。
【０１８０】
通信装置１３の通信装置機能制御部１３３は、ＭＭＥ５１からの指示に応じて、所定の機能を起動する（Ｓ４−９）。所定の機能は、例えば、通信装置１３に含まれる位置情報配信機能（位置情報配信部１１２）、及び、デバイス間通信機能（通信装置通信部１１１に含まれるデバイス間通信用のインターフェース）である。
【０１８１】
端末１２の位置情報処理部１０５は、端末通信部１０１のデバイス間通信機能を介して、通信装置１３に対してセッション確立要求を送信する（Ｓ４−１０）。なお、セッション確立要求は、端末１２の端末機能制御部１０４によって送信されてもよい。
【０１８２】
通信装置１３の通信装置機能制御部１３３は、セッション確立要求を受信したことに応じて、通信装置通信部１１１のデバイス間通信機能を介して、端末１２に対してセッション確立応答を送信する（Ｓ４−１１）。
【０１８３】
端末１２の位置情報処理部１０５は、確立したセッションを用いて、通信装置１３に対して位置情報を要求するための信号を送信する（Ｓ４−１２）。
【０１８４】
通信装置１３は、端末１２から位置情報を要求されたことに応じて、端末１２に対して、位置情報を通知する（Ｓ４−１３）。
【０１８５】
端末１２の位置情報処理部１０５は、通信装置１３から位置情報を受信したことに応じて、当該端末１２の位置を算出し、算出した位置に関する情報を基地局３１を介して緊急通報先に送信する（Ｓ４−１４）。
【０１８６】
上記の通り、本発明の第４の実施形態では、ＭＭＥ５１が、端末１２が発呼した緊急通報を認識し、当該端末１２に対して、位置情報を処理するための機能（位置情報処理部１０５）の起動を指示する。そのため、端末１２は、例えば、緊急通報を発呼した際に位置情報を処理するための機能が起動されていなくても、ＭＭＥ５１からの指示に基づいて位置情報を取得する機能を起動し、当該端末１２の位置情報を算出することができる。そのため、端末１２は、緊急通報受理機関に対して、自装置（端末１２）の位置情報を通知することが可能となる。
【０１８７】
［第５の実施形態］
［構成の説明］
本発明の第５の実施形態は、外部サーバ８０が、端末１２が発呼した緊急通報を認識する場合の実施形態である。なお、第５の実施形態の技術は、第１の実施形態、第２の実施形態、第３の実施形態、第４の実施形態のいずれにも適用可能である。
【０１８８】
図２２は、第５の実施形態の通信システムの構成例を示す図である。図２２に例示するように、通信システムは、端末１２と、通信装置１３と、基地局３１と、ＭＭＥ５０と、ＭＴＣ−ＩＷＦ６０と、ＳＣＳ（Ｓｅｒｖｉｃｅ  Ｃａｐａｂｉｌｉｔｙ  Ｓｅｒｖｅｒ）７０と、外部サーバ８０と、Ｓ−ＧＷ９０と、Ｐ−ＧＷ９５と、ＩＭＳ  ＮＷと、パケットＮＷ  ＶＰＮと、電話ＮＷと、緊急通報先（緊急通報受理機関）を含む。なお、第５の実施形態の通信システムは、ＧＰＳ衛星２０を含んでいてもよい。
【０１８９】
第５の実施形態において、外部サーバ８０は、端末１２による緊急通報の発呼を認識したことに応じて、当該端末１２に対して、所定の機能を起動することを要求する信号を送信する。所定の機能は、例えば、端末１２に含まれる位置情報取得機能や、デバイス間通信機能である。
【０１９０】
端末１２は、外部サーバ８０から送信された“所定の機能を起動することを要求する信号”を受信したことに応じて、当該所定の機能を起動する。端末１２は、例えば、ＭＭＥ５０から位置情報取得機能の起動を要求する信号を受信したことに応じて、当該位置情報取得機能を起動し、通信装置１３から通知される位置情報の取得を開始する。
【０１９１】
また、第５の実施形態において、ＭＭＥ５０は、端末１２による緊急通報の発呼を認識したことに応じて、通信装置１３に対して、位置情報を配信する機能を起動することを要求する信号を送信する。
【０１９２】
通信装置１３は、外部サーバ８０から送信された“位置情報を配信する機能を起動することを要求する信号”を受信したことに応じて、当該位置情報を配信する機能を起動し、端末１２に対する位置情報の配信を開始する。
【０１９３】
ＳＣＳ７０は、モバイル網と１つ以上のＭＴＣアプリケーションをホストするサーバとを接続し、ＭＴＣアプリケーションがＵＥ（Ｕｓｅｒ  Ｅｑｕｉｐｍｅｎｔ）との通信を可能とするため、制御シグナリングを処理する機能（Ｃ−Ｐｌａｎｅ機能）、またデータ通信を行う機能（Ｕｓｅｒ−Ｐｌａｎｅ機能）を備える。ＳＣＳ７０は、例えば、ＭＴＣデバイスを起動するための制御シグナリング（Ｄｅｖｉｃｅ  Ｔｒｉｇｇｅｒ  Ｒｅｑｕｅｓｔ）を送出する機能を備える。ＳＣＳ７０は、例えば、ＭＴＣサービスがモバイルネットワークの提供するサービスを簡単に使用可能とするためにＡＰＩ（Ａｐｐｉｌｃａｔｉｏｎ  Ｐｒｏｇｒａｍｉｎｇ  Ｉｎｔｅｒｆａｃｅ）を提供してもよい。
【０１９４】
図２３は、第５の実施形態のＳＣＳ７０の構成例を示す図である。図２３に例示するように、ＳＣＳ７０は、ＳＣＳ信号処理部７０１とＳＣＳ制御部７０２を含む。
【０１９５】
ＳＣＳ制御部７０２は、ＭＴＣ−ＩＷＦ６０から受信した緊急通報通知を、ＳＣＳ信号処理部７０１を介して、外部サーバ８０に転送する。また、ＳＣＳ制御部７０２は、外部サーバ８０から端末機能起動指示を受信したことに応じて、ＳＣＳ信号処理部７０１を介してＭＴＣ−ＩＷＦ６０に“Ｐａｇｉｎｇ  Ｒｅｑｕｅｓｔ”を送信する。ＳＣＳ制御部７０２は、例えば、外部サーバ８０からの要求に応じて、端末１２と通信装置１３との間のベアラの確立を指示するための信号（Ｐａｇｉｎｇ）の送信要求（Ｐａｇｉｎｇ  Ｒｅｑｕｅｓ）を、基地局３１に通知する。なお、サーバ緊急通報認識部８０３は、当該ベアラの確立を指示するための信号（Ｐａｇｉｎｇ）の送信要求（Ｐａｇｉｎｇ  Ｒｅｑｕｅｓ）を、ＭＴＣ−ＩＷＦ６０に通知してもよい。
【０１９６】
図２４は、第５の実施形態の外部サーバ８０の構成例を示す図である。図２４に例示するように、外部サーバ８０は、サーバ通信部８０１と、サーバメッセージ処理部８０２と、サーバ緊急通報認識部８０３と、サーバ端末呼出し制御指示部８０４と、サーバ端末情報記憶部８０５と、サーバ端末機能制御指示部８０６を含む。
【０１９７】
サーバ通信部８０１は、ＳＣＳ７０と接続し、当該ＳＣＳ７０との間で制御信号を送受信する機能を含む。
【０１９８】
サーバメッセージ処理部８０２は、ＳＣＳ７０から受信する制御信号を処理する機能を備える。サーバメッセージ処理部８０２は、例えば、ＳＣＳ７０から緊急通報を受信したことに応じて、当該緊急通報をサーバ緊急通報認識部８０３に通知する。なお、サーバメッセージ処理部８０２は、ＳＣＳ７０から緊急通報を受信したことに応じて、当該緊急通報を受信したことを示す信号を、当該サーバ緊急通報認識部８０３に通知してもよい。
【０１９９】
サーバ緊急通報認識部８０３は、緊急通報を受信したことを認識する。サーバ緊急通報認識部８０３は、例えば、サーバメッセージ処理部８０２が緊急通報を受信したことを検知する。サーバ緊急通報認識部８０３は、例えば、サーバメッセージ処理部８０２から、緊急通報を受信した旨を通知されたことに応じて、緊急通報を受信したことを検知してもよい。
【０２００】
サーバ緊急通報認識部８０３は、緊急通報を認識したことに応じて、サーバ端末呼出し制御指示部８０４に対して、端末１２とＳＧＷ９０との間のベアラ、および通信装置１３とＳＧＷ９０との間のベアラの確立を要求する。
【０２０１】
サーバ端末呼出し制御指示部８０４は、サーバ緊急通報認識部８０３からの要求に応じて、サーバ端末情報記憶部８０５を参照して、当該緊急通報を送信した端末１２を特定し、サーバ緊急通報認識部８０３へ通知する。サーバ緊急通報認識部８０３は、特定した端末１２とＳＧＷ９０との間のベアラ、および通信装置１３とＳＧＷ９０との間のベアラの確立を、ＳＣＳ７０に対して要求する。
【０２０２】
サーバ端末情報記憶部８０５は、端末１２に関する情報ならびに通信装置１３に関する情報を記憶する。
【０２０３】
また、サーバ緊急通報認識部８０３は、緊急通報を認識したことに応じて、サーバ端末機能制御指示部８０６対して、“端末１２に所定の信号を送信する旨の指示”を行うことを要求する。なお、所定の信号は、例えば、“端末１２に位置情報取得機能の起動を要求する信号”である。所定の信号は、例えば、“通信装置１３に位置情報の配信を要求するための信号”である。
【０２０４】
サーバ端末機能制御指示部８０６は、サーバ緊急通報認識部８０３から所定の信号の送信を要求されたことに応じて、サーバ通信部８０１を介して当該所定の信号を送信する。サーバ端末機能制御指示部８０６は、例えば、サーバ緊急通報認識部８０３からの要求に応じて、“位置情報取得機能の起動を要求する信号”を、ＳＣＳ７０を介して当該端末１２に送信する。サーバ端末機能制御指示部８０６は、例えば、サーバ緊急通報認識部８０３からの要求に応じて、“位置情報の配信を要求するための信号”を、ＳＣＳ７０を介して当該通信装置１３に送信する。
【０２０５】
図２５は、第５の実施形態のＳ−ＧＷ９０の構成例を示す図である。図２５に例示するように、Ｓ−ＧＷ９０は、ＳＧＷ信号処理部９０１と、ＳＧＷ制御部９０２を含む。
【０２０６】
ＳＧＷ制御部９０２は、Ｃ−Ｐｌａｎｅに相当する機能を備える。通信用のセッションの設定・解放、ハンドオーバの制御等などの制御シグナリングを処理する機能を有する。ＳＧＷ制御部９０２は、ＳＧＷ信号処理部９０１を介して、制御シグナリングを送受信する。
【０２０７】
図２６は、第５の実施形態のＰ−ＧＷ９５の構成例を示す図である。図２６に例示するように、Ｐ−ＧＷ９５は、ＰＧＷ信号処理部９５１と、ＰＧＷ制御部９５２を含む。
【０２０８】
ＰＧＷ制御部９５２は、Ｃ−Ｐｌａｎｅに相当する機能を備える。通信用のセッションの設定・解放、ハンドオーバの制御等などの制御シグナリングを処理する機能を有する。ＰＧＷ制御部９５２は、ＰＧＷ信号処理部９５１を介して、制御シグナリングを送受信する。
【０２０９】
［動作の説明］
本願発明の第５の実施形態において、端末１２が位置情報を取得する動作について、図２７を参照して説明する。
【０２１０】
図２７は、第５の実施形態の通信システムの動作例を示すシーケンス図である。
【０２１１】
端末１２の緊急通報発呼部１０２が、端末通信部１０１を介して、緊急通報を発呼する（Ｓ５−１）。発呼された緊急通報は、優先度の高い信号（“Ｅｍｅｒｇｅｎｃｙ  Ａｔｔａｃｈ”）として、基地局３１、ＭＭＥ５０、ＭＴＣ−ＩＷＦ６０及びＳＣＳ７０を介して、外部サーバ８０に転送される（Ｓ５−２乃至Ｓ５−６）。
【０２１２】
外部サーバ８０のサーバ緊急通報認識部８０３は、緊急通報を受信したことに応じて、緊急通報を受信したことを認識し（Ｓ５−７）、サーバ端末呼出し制御指示部８０４に対して、端末１２とＳＧＷ９０とのベアラ、および通信装置１３とＳＧＷ９０との間のベアラの確立を要求する。
【０２１３】
外部サーバ８０のサーバ端末呼出し制御指示部８０４は、サーバ緊急通報認識部８０３からの要求に応じて、サーバ端末情報記憶部８０５を参照して、当該緊急通報を送信した端末１２ならびに呼び出すべき通信装置１３を特定する（Ｓ５−８）。
【０２１４】
外部サーバ８０のサーバ端末機能制御指示部８０６は、“位置情報取得機能の起動を要求する信号”を、ＳＣＳ７０に送信する（Ｓ５−９）。
【０２１５】
外部サーバ８０のサーバ端末呼出し制御指示部８０４は、特定した端末１２とＳＧＷ９０とのベアラ、および通信装置１３とＳＧＷ９０との間のベアラの確立を指示するための信号（Ｐａｇｉｎｇ）の送信要求を、ＳＣＳ７０を介して、ＭＴＣ−ＩＷＦ６０に対して送信する（Ｓ５−１０の“Ｐａｇｉｎｇ  Ｒｅｑｕｅｓｔ”）。
【０２１６】
ＭＴＣ−ＩＷＦ６０のＭＴＣ制御部６０２は、受信した“Ｐａｇｉｎｇ  Ｒｅｑｕｅｓｔ”の認証処理を実行する（Ｓ５−１１）。ＭＴＣ制御部６０２は、認証に成功した場合には、当該“Ｐａｇｉｎｇ  Ｒｅｑｕｅｓｔ”をＭＭＥ５０に転送する（Ｓ５−１２）。
【０２１７】
ＭＭＥ５０のＭＭＥ制御部５０２は、“Ｐａｇｉｎｇ  Ｒｅｑｕｅｓｔ”を受信したことに応じて、所定の基地局３１に対して、“Ｐａｇｉｎｇ”を送信する（Ｓ５−１３）。
【０２１８】
基地局３１の基地局メッセージ処理部３０２は、ＭＭＥ５０から“Ｐａｇｉｎｇ”を受信したことに応じて、端末１２及び通信装置１３に対して、“Ｐａｇｉｎｇ”を送信する（Ｓ５−１４）。
【０２１９】
端末１２の端末機能制御部１０４と、通信装置１３の通信装置機能制御部１３３は、基地局３１から“Ｐａｇｉｎｇ”を受信したことに応じて、ベアラの確立のための処理を実行する（Ｓ５−１５の“Ｓｅｒｖｉｃｅ  Ｒｅｑｕｅｓｔ  Ｐｒｏｃｅｄｕｒｅ”）。
【０２２０】
ＭＭＥ５０のＭＭＥ制御部５０２は、ベアラの確立が完了したことに応じて、ＭＴＣ−ＩＷＦ６０を介して、ＳＣＳ７０に対して“Ｂｅａｒｅｒ  Ｓｅｔｕｐ  Ｃｏｍｐｌｅｔｅ  Ｒｅｓｐｏｎｓｅ”を送信する（Ｓ５−１６）。
【０２２１】
ＳＣＳ７０のＳＣＳ制御部７０２は、ベアラの確立が完了した場合に、基地局３１を介して、端末１２に対して、“位置情報取得機能の起動を要求する信号”を送信する（Ｓ５−１７及びＳ５−１８）。
【０２２２】
端末１２の端末機能制御部１０４は、外部サーバ８０からの指示に応じて、所定の機能を起動する（Ｓ５−１９）。所定の機能は、例えば、端末１２に含まれる位置情報取得機能（位置情報処理部１０５）、及び、デバイス間通信機能（端末通信部１０１に含まれるデバイス間通信用のインターフェース）である。
【０２２３】
また、ＳＣＳ７０のＳＣＳ制御部７０２は、ベアラの確立が完了した場合に、基地局３１を介して、通信装置１３に対して、所定の機能の起動を指示する（Ｓ５−２０の“端末機能起動指示”）。例えば、サーバ端末機能制御指示部８０６は、緊急通報を受信した旨の通知を受けた場合に、通信装置１３に対して、“位置情報の配信を要求するための信号”を送信する。
【０２２４】
通信装置１３の通信装置機能制御部１３３は、外部サーバ８０からの指示に応じて、所定の機能を起動する（Ｓ５−２１）。所定の機能は、例えば、通信装置１３に含まれる位置情報配信機能（位置情報配信部１１２）、及び、デバイス間通信機能（通信装置通信部１１１に含まれるデバイス間通信用のインターフェース）である。
【０２２５】
端末１２の位置情報処理部１０５は、端末通信部１０１のデバイス間通信機能を介して、通信装置１３に対してセッション確立要求を送信する（Ｓ５−２２）。なお、セッション確立要求は、端末１２の端末機能制御部１０４によって送信されてもよい。
【０２２６】
通信装置１３の通信装置機能制御部１３３は、セッション確立要求を受信したことに応じて、通信装置通信部１１１のデバイス間通信機能を介して、端末１２に対してセッション確立応答を送信する（Ｓ５−２３）。
【０２２７】
端末１２の位置情報処理部１０５は、確立したセッションを用いて、通信装置１３に対して位置情報を要求するための信号を送信する（Ｓ５−２４）。
【０２２８】
通信装置１３は、端末１２から位置情報を要求されたことに応じて、端末１２に対して、位置情報を通知する（Ｓ５−２５）。
【０２２９】
端末１２の位置情報処理部１０５は、通信装置１３から位置情報を受信したことに応じて、当該端末１２の位置を算出し、算出した位置に関する情報を、基地局３１を介して緊急通報先に送信する（Ｓ５−２６）。
【０２３０】
図２８は、第５の実施形態の通信システムの他の動作例を示すフローチャートである。図２８に示す通信システムの動作例は、呼出し端末を決定した外部サーバ８０が、端末機能起動指示の信号を送る際に、ＭＴＣ−ＩＷＦ６０、ＳＣＳ７０およびＭＭＥ５０などのＣ−Ｐｌａｎｅ機能を介して事前にベアラの確立を行わず、ＳＧＷ９０にＵ−Ｐｌａｎｅ経由で直接端末機能起動指示を送信する場合の例である。
【０２３１】
図２８におけるＳ６−１乃至Ｓ６−７は、図２７におけるＳ５−１乃至Ｓ５−７の動作と同様であるため、詳細な説明は省略される。
【０２３２】
外部サーバ８０のサーバ端末呼出し制御指示部８０４は、サーバ緊急通報認識部８０３からの要求に応じて、サーバ端末情報記憶部８０５を参照して、当該緊急通報を送信した端末１２ならびに呼び出すべき通信装置１３を特定する（Ｓ６−８）。
【０２３３】
外部サーバ８０のサーバ端末機能制御指示部８０６は、緊急通報を行った端末１２宛ての“位置情報取得機能の起動を要求する信号”、ならびに通信装置１３宛ての“位置情報の配信を要求するための信号”について、それぞれ個別のメッセージとしてＳＧＷ９０に送信する（Ｓ６−９）。
【０２３４】
Ｓ−ＧＷ９０のＳＧＷ制御部９０２は、“位置情報取得機能の起動を要求する信号”あるいは“位置情報の配信を要求するための信号”を受信したことに応じて、ＭＭＥ５０に対して、“Ｄｏｗｎｌｉｎｋ  Ｄａｔａ  Ｎｏｔｉｆｉｃａｔｉｏｎ”を送信する（Ｓ６−１０）。
【０２３５】
ＭＭＥ５０のＭＭＥ制御部５０２は、“Ｄｏｗｎｌｉｎｋ  Ｄａｔａ  Ｎｏｔｉｆｉｃａｔｉｏｎ”を受信したことに応じて、Ｓ−ＧＷ９０に対して、“Ｄｏｗｎｌｉｎｋ  Ｄａｔａ  Ｎｏｔｉｆｉｃａｔｉｏｎ  Ａｃｋ”を返答する（Ｓ６−１１）。
【０２３６】
ＭＭＥ５０のＭＭＥ制御部５０２は、“Ｄｏｗｎｌｉｎｋ  Ｄａｔａ  Ｎｏｔｉｆｉｃａｔｉｏｎ”を受信したことに応じて、所定の基地局３１に対して、端末１２あるいは通信装置１３を呼び出すための“Ｐａｇｉｎｇ”を送信する（Ｓ６−１２）。
【０２３７】
基地局３１の基地局メッセージ処理部３０２は、ＭＭＥ５０から“Ｐａｇｉｎｇ”を受信したことに応じて、端末１２あるいは通信装置１３に対して、“Ｐａｇｉｎｇ”を送信する（Ｓ６−１３）。
【０２３８】
端末１２の端末機能制御部１０４、あるいは通信装置１３の通信装置機能制御部１３３は、基地局３０から“Ｐａｇｉｎｇ”を受信したことに応じて、ベアラの確立のための処理を実行する（Ｓ６−１４の“Ｓｅｒｖｉｃｅ  Ｒｅｑｕｅｓｔ  Ｐｒｏｃｅｄｕｒｅ”）。
【０２３９】
Ｓ−ＧＷ９０のＳＧＷ制御部９０２は、端末１２とＳＧＷ９０との間のベアラの確立が完了したあとに、基地局３１を介して、端末１２に対して“位置情報取得機能の起動を要求する信号”を送信する（Ｓ６−１５及びＳ６−１６）。
【０２４０】
端末１２の端末機能制御部１０４は、“位置情報取得機能の起動を要求する信号”を受信したことに応じて、所定の機能を起動する（Ｓ６−１７）。所定の機能は、例えば、端末１２に含まれる位置情報取得機能（位置情報処理部１０５）、及び、デバイス間通信機能（端末通信部１０１に含まれるデバイス間通信用のインターフェース）である。
【０２４１】
Ｓ−ＧＷ９０のＳＧＷ制御部９０２は、通信装置１３とＳＧＷ９０との間のベアラの確立が完了したあとに、基地局３１を介して、通信装置１３に対して“位置情報の配信を要求するための信号”を送信する（Ｓ６−２５の“端末機能起動指示”）。
【０２４２】
通信装置１３の通信装置機能制御部１３３は、“位置情報の配信を要求するための信号”を受信したことに応じて、所定の機能を起動する（Ｓ６−２６）。所定の機能は、例えば、通信装置１３に含まれる位置情報配信機能（位置情報配信部１１２）、及び、デバイス間通信機能（通信装置通信部１１１に含まれるデバイス間通信用のインターフェース）である。
【０２４３】
ここで、図２８に例示する通信システムでは、Ｓ６−８で外部サーバ８０のサーバ端末呼出し制御指示部８０４が特定した端末１２および通信装置１３の台数分だけ、Ｓ６−９乃至Ｓ６−１７を繰り返す（Ｓ６−１８乃至Ｓ６−２６）。
【０２４４】
図２８におけるＳ６−２７乃至Ｓ６−３１は、図２７におけるＳ５−２２乃至Ｓ５−２６の動作と同様であるため、詳細な説明は省略される。
【０２４５】
上記の通り、本発明の第５の実施形態では、外部サーバ８０が、端末１２が発呼した緊急通報を認識し、当該端末１２に対して、位置情報を処理するための機能（位置情報処理部１０５）の起動を指示する。また、外部サーバ８０は、端末１２が発呼した緊急通報を認識し、通信装置１３に対して、位置情報を配信するための機能の起動を指示する。そのため、端末１２は、例えば、緊急通報を発呼した際に位置情報を処理するための機能が起動されていなくても、外部サーバ８０からの指示に基づいて位置情報を取得する機能を起動し、当該端末１２の位置情報を算出することができる。また、通信装置１３は、例えば、位置情報を配信するための機能が起動されていなくても、外部サーバ８０からの指示に基づいて位置情報を配信する機能を起動することができる。そのため、端末１２は、緊急通報受理機関に対して、自装置（端末１２）の位置情報を通知することが可能となる。
【０２４６】
［第６の実施形態］
［構成の説明］
本発明の第６の実施形態について、図面を参照して説明する。なお、第６の実施形態の技術は、第１の実施形態、第２の実施形態、第３の実施形態、第４の実施形態、第５の実施形態のいずれにも適用可能である。
【０２４７】
図２９は、第６の実施形態の通信システムの構成例を示す図である。図２９に示すように、第６の実施形態の通信システムは、端末１４と、通信装置１３と、基地局３２と、各ネットワークノード（ＭＭＥ５０、Ｓ−ＧＷ９０、Ｐ−ＧＷ９５）と、ＩＭＳ  ＮＷと、パケットＮＷ  ＶＰＮと、電話ＮＷと、緊急通報先（緊急通報受理機関）を含む。なお、第６の実施形態の通信システムは、ＧＰＳ衛星２０を含んでいてもよい。
【０２４８】
第６の実施形態において、基地局３２は、端末１４から緊急通報を受信したことに応じて、当該端末１４に対して、所定の機能を起動することを要求する信号を送信する。所定の機能は、例えば、端末１４に含まれる位置情報取得機能や、デバイス間通信機能である。
【０２４９】
端末１４は、基地局３２から所定の機能を起動することを要求する信号を受信したことに応じて、当該所定の機能を起動する。端末１４は、例えば、基地局３２から位置情報取得機能の起動を要求する信号を受信したことに応じて、当該位置情報取得機能を起動し、通信装置１３から通知される位置情報の取得を開始する。
【０２５０】
また、第６の実施形態において、基地局３２は、端末１４から緊急通報を受信したことに応じて、通信装置１３に対して、位置情報を配信する機能を起動するための要求を送信する。基地局３２は、例えば、当該基地局３２に接続する通信装置１３に対して、当該位置情報を配信する機能を起動するための要求を送信する。
【０２５１】
通信装置１３は、基地局３２から位置情報を配信する機能を起動するための要求を受信したことに応じて、当該位置情報を配信する機能を起動し、端末１４に対する位置情報の配信を開始する。
【０２５２】
図３０は、第６の実施形態における端末１４の構成例を示す図である。図３０に示すように、端末１４は、端末通信部１０１と、緊急通報発呼部１０２と、端末機能制御部１０４と、位置情報処理部１０５とを含む。
【０２５３】
端末通信部１０１は、例えば、緊急通報を送信する機能を備える。端末通信部１０１は、緊急通報発呼部１０２から緊急通報を受信すると、所定の緊急通報受理機関に緊急通報を送信する。なお、緊急通報の送信は、例えば、緊急通報発呼部１０２から受信後すぐ行われてもよいし、位置情報処理部１０５から位置情報を受信後に、前記緊急通報及び前記端末の位置情報を所定の緊急通報先へまとめて送信してもよい。
【０２５４】
端末通信部１０１は、例えば、通信装置１３から位置情報を受信する機能を備える。端末通信部１０１は、位置情報処理部１０５から位置情報を受信すると、所定の緊急通報受理機関に位置情報を送信する。
【０２５５】
端末通信部１０１は、これらの機能のほか、種々の信号を送受信可能な機能を備える。
【０２５６】
緊急通報発呼部１０２は、端末通信部１０１を介して、緊急通報を送信する機能を備える。緊急通報発呼部１０２は、例えば、端末１４のユーザによる動作に応じて、所定の緊急通報を送信する。
【０２５７】
端末機能制御部１０４は、端末１４に含まれる種々の機能を制御する。端末機能制御部１０４は、端末１４に含まれる種々の機能の起動や終了を制御する。端末制御部１０４は、例えば、緊急通報発呼部１０２が緊急通報を送信したことを認識すると、位置情報処理部１０５を起動する。端末機能制御部１０４は、例えば、位置情報処理部１０５に対して、位置情報を取得する機能の起動を要求してもよい。
【０２５８】
位置情報処理部１０５は、端末機能制御部１０４からの要求に応じて、位置情報の取得を開始し、端末１４の位置情報を算出する。位置情報処理部１０５は、端末機能制御部１０４からの要求に応じて、通信装置１３からの位置情報の取得を開始する。位置情報処理部１０５は、取得した位置情報を、端末通信部１０１を介して、所定の緊急通報受理機関へ通知する。位置情報処理部１０５は、複数の通信装置１３からの位置情報を取得し、端末１４の位置を算出してもよい。この場合、位置情報処理部１０５は、算出した端末１４の位置に関する情報を、端末通信部１０１を介して、所定の緊急通報受理機関へ通知する。なお、所定の緊急通報受理機関は、緊急通報発呼部１０２が緊急通報を通知した当該緊急通報受理機関である。
【０２５９】
また、位置情報処理部１０５は、例えば、ＧＰＳ衛星２０から所定の信号（ＧＰＳ情報）を受信してもよい。位置情報処理部１０５は、複数のＧＰＳ衛星２０から所定の信号を受信し、端末１４の位置を算出する。この場合、位置情報処理部１０５は、算出した端末１４の位置に関する情報を、端末通信部１０１を介して、所定の緊急通報受理機関へ通知する。
【０２６０】
第６の実施形態における通信装置１３の構成例は、通信装置通信部１１１と、位置情報配信部１１２と、通信装置機能制御部１３３を含む。
【０２６１】
通信装置通信部１１１は、通信装置１３の位置に関する情報（位置情報）を、端末１４へ通知する。通信装置通信部１１１は、端末１４から、位置情報の送信要求（位置情報要求）を受信する。通信装置通信部１１１は、位置情報配信部１１２から通知された位置情報を、位置情報要求を送信した端末１４に対して送信する。通信装置通信部１１１は、これらの機能のほか、種々の信号を送受信可能な機能を備える。
【０２６２】
通信装置機能制御部１３３は、通信装置通信部１１１が基地局３２から位置情報取得機能の起動を要求する信号を受信したことに応じて、位置情報配信部１１２を起動する。通信装置機能制御部１３３は、基地局３２から位置情報を配信する機能を起動するための要求を受信したことに応じて、位置情報配信部１１２に対して、位置情報の配信の開始を要求してもよい。
【０２６３】
通信装置機能制御部１３３は、基地局３２から位置情報を配信する機能を起動するための要求を受信したことに応じて、通信装置通信部１１１に含まれるデバイス間通信機能を起動する。デバイス間通信機能は、例えば、通信装置１３が端末１４と通信するために使用するインターフェースである。
【０２６４】
位置情報配信部１１２は、通信装置機能制御部１３３によって起動された場合に、通信装置通信部１１１に含まれるデバイス間通信機能（インターフェース）を介して、端末１４に対して位置情報を配信する。位置情報配信部１１２は、通信装置機能制御部１３３から位置情報の配信の開始を要求されたことに応じて、端末１４に対する位置情報の配信を開始する。
【０２６５】
図３１は、第６の実施形態における基地局３２の構成例を示す図である。図３１に示すように、基地局３２は、基地局通信部３０１と、端末機能制御指示部３０４を含む。
【０２６６】
基地局通信部３０１は、端末１４と接続し、当該端末１４との間で、種々の信号を送受信する機能を含む。基地局通信部３０１は、例えば、端末１４から緊急通報を受信する機能を備える。基地局通信部３０１は、例えば、端末１４に対して、所定の機能を起動することを要求する信号を送信する。所定の機能とは、例えば、端末１４に含まれる位置情報取得機能や、デバイス間通信機能である。
【０２６７】
基地局通信部３０１は、通信装置１３と接続し、当該通信装置１３との間で、種々の信号を送受信する機能を含む。基地局通信部３０１は、例えば、通信装置１３に対して、位置情報の配信を要求するための信号を送信する。
【０２６８】
端末機能制御指示部３０４は、例えば、基地局通信部３０１を介して受信した端末１４からの緊急通報に応じて、例えば、“位置情報取得機能の起動を要求する信号”を、当該端末１４に送信する。端末機能制御指示部３０４は、例えば、基地局通信部３０１を介して受信した、端末１４からの緊急通報に応じて、“位置情報の配信を要求するための信号”を、当該通信装置１３に送信する。なお、端末機能制御指示部３０４は、緊急通報の受信を認識した旨の通知を受けたことに応じて、所定の信号を送信してもよい。
【０２６９】
上記の通り、本発明の第６の実施形態では、基地局３２が、端末１４が発呼した緊急通報を認識し、当該端末１４に対して、位置情報を処理するための機能（位置情報処理部１０５）の起動を指示する。そのため、端末１４は、例えば、緊急通報を発呼した際に位置情報を処理するための機能が起動されていなくても、基地局３２からの指示に基づいて位置情報を取得する機能を起動し、当該端末１４の位置情報を算出することができる。そのため、端末１４は、緊急通報受理機関に対して、自装置（端末１４）の位置情報を通知することが可能となる。
【０２７０】
図３２は、本発明の第６の実施形態における端末１４の構成を実現するコンピュータの一例を示すブロック図である。図３２に示すように、端末１４は、例えばＣＰＵ（Ｃｅｎｔｒａｌ  Ｐｒｏｃｅｓｓｉｎｇ  Ｕｎｉｔ）１−１、ＲＡＭ（Ｒａｍｄｏｍ  Ａｃｃｅｓｓ  Ｍｅｍｏｒｙ）２−１、記憶装置３−１、通信インターフェース４−１、入力装置５−１、出力装置６−１を含む。
【０２７１】
緊急通報発呼部、端末機能制御部または位置情報処理部は、プログラムをＲＡＭ２に読み出し、実行するＣＰＵ１によって実現される。端末通信部が情報の送受信を行う動作は、例えばＣＰＵ１のＯＳ（Ｏｐｅｒａｔｉｎｇ  Ｓｙｓｔｅｍ）を実行することで実現される。
【０２７２】
通信インターフェース４は、ＣＰＵ１に接続され、ネットワーク或いは外部記憶媒体に接続される。外部データが通信インターフェース４を介してＣＰＵ１に取り込まれても良い。入力装置５は、例えばキーボードやマウス、タッチパネルである。出力装置６は、例えばディスプレイである。
【０２７３】
なお、図３２に示すハードウェア構成は、一例にすぎず、図に示す各部それぞれが独立した論理回路で構成されていても良い。
【０２７４】
図３２は、本発明の第１の実施形態における通信装置１１の構成を実現するコンピュータの一例を示すブロック図である。図３２に示すように、通信装置１１は、例えばＣＰＵ（Ｃｅｎｔｒａｌ  Ｐｒｏｃｅｓｓｉｎｇ  Ｕｎｉｔ）１−２、ＲＡＭ（Ｒａｍｄｏｍ  Ａｃｃｅｓｓ  Ｍｅｍｏｒｙ）２−２、記憶装置３−２、通信インターフェース４−２、入力装置５−２、出力装置６−２を含む。
【０２７５】
図３２の構成要素１−２乃至６−２は、図３１における構成要素１−１乃至６−１の動作と同様であるため、詳細な説明は省略される。
【０２７６】
以上、本発明の実施形態を説明したが、本発明は、上記したそれぞれの実施形態に限定されるものではない。本発明は、各実施形態の変形・置換・調整に基づいて実施できる。また、本発明は、各実施形態を任意に組み合わせて実施することもできる。即ち、本発明は、本明細書の全ての開示内容、技術的思想に従って実現できる各種変形、修正を含む。また、本発明は、ＳＤＮ（Ｓｏｆｔｗａｒｅ−Ｄｅｆｉｎｅｄ  Ｎｅｔｗｏｒｋ）の技術分野にも適用可能である。
【０２７７】
また、本発明において、端末、通信装置、基地局、ＭＭＥ、ＭＥＣ及び外部サーバのコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等が、上述した各実施形態の機能を実現するソフトウェア（プログラム）を実行してもよい。端末、通信装置、基地局、ＭＭＥ、ＭＥＣ及び外部サーバは、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得してもよい。端末、通信装置、基地局、ＭＭＥ、ＭＥＣ及び外部サーバが取得するプログラムや該プログラムを記憶した記憶媒体は、本発明を構成することになる。なお、該ソフトウェア（プログラム）は、例えば、端末、通信装置、基地局、ＭＭＥ、ＭＥＣ及び外部サーバに含まれる所定の記憶部に、予め記憶されていてもよい。端末、通信装置、基地局、ＭＭＥ、ＭＥＣ及び外部サーバのコンピュータ、ＣＰＵ又はＭＰＵ等は、取得したソフトウェア（プログラム）のプログラムコードを読み出して実行してもよい。
【０２７８】
上記の実施形態の一部又は全部は、以下の付記のようにも記載されうるが、以下には限られない。
【０２７９】
［付記１］
緊急通報を送信する端末において、
前記緊急通報を通知する緊急通報発呼部と、
前記端末の位置を特定する位置情報処理部と、
前記緊急通報を通知したことに応じて、前記位置情報処理部を起動する端末機能制御部と、
前記緊急通報及び前記端末の位置に関する情報を緊急通報先へ送信する端末通信部と
を含む端末。
【０２８０】
［付記２］
前記位置情報処理部は、取得した位置情報から自装置の位置を特定する
ことを特徴とする付記１に記載の端末。
【０２８１】
［付記３］
前記位置情報処理部は、少なくとも１つ以上の通信装置またはＧＰＳ衛星から位置情報を取得し、前記位置情報から自装置の位置を特定する
ことを特徴とする付記１または２に記載の端末。
【０２８２】
［付記４］
前記端末通信部は、前記緊急通報及び前記端末の位置に関する情報を、所定の組み合わせで、緊急通報先へ送信することを特徴とする付記１乃至３のいずれかに記載の端末。
【０２８３】
［付記５］
緊急通報を送信する端末において、
前記緊急通報を通知する緊急通報発呼部と、
前記端末の位置を特定する位置情報処理部と、
前記位置情報処理部を起動する端末機能制御部と、
前記緊急通報及び前記端末の位置に関する情報を緊急通報先へ送信する端末通信部と、を含み、
前記端末機能制御部は、前記端末通信部が位置情報取得機能の起動を要求する信号を受信したことに応じて、前記位置情報処理部を起動する
ことを特徴とする端末。
【０２８４】
［付記６］
端末に対して位置情報を配信する通信装置において、
端末からの位置情報要請を受信する通信装置通信部と、
前記位置情報要請を送信した端末の位置情報を通知する位置情報配信部と、
前記位置情報配信部を起動する通信装置機能制御部と、を含み、
前記通信装置通信部は、前記位置情報配信部から通知された位置情報を、前記端末に送信する
ことを特徴とする通信装置。
【０２８５】
［付記７］
前記通信装置機能制御部は、前記通信装置通信部が位置情報取得機能の起動を指示する信号を受信したことに応じて、前記位置配信部を起動する
ことを特徴とする付記６に記載の通信装置。
【０２８６】
［付記８］
端末からの緊急通報を受信する基地局通信部と、
前記基地局通信部が前記緊急通報を受信したことに応じて、前記端末及び通信装置に対して、位置情報取得機能の起動を指示する信号を送信する端末機能制御指示部と
を含む基地局。
【０２８７】
［付記９］
緊急通報を送信する端末と、
前記端末に対して位置情報を配信する通信装置と、を含み、
前記端末は、
緊急通報を通知する手段と、
前記緊急通報を送信した端末の位置を特定する位置情報処理手段と、
前記緊急通報を通知したことに応じて、前記位置情報処理手段を起動する端末機能制御手段と、
前記緊急通報及び前記端末の位置に関する情報を緊急通報先へ送信する端末通信手段と
を含むことを特徴とする通信システム。
【０２８８】
［付記１０］
前記位置情報処理手段は、取得した位置情報から自装置の位置を特定する
ことを特徴とする付記９に記載の通信システム。
【０２８９】
［付記１１］
前記位置情報処理手段は、少なくとも１つ以上の装置に対して位置情報要請を送信し、取得した位置情報から前記緊急通報を送信した端末の位置を特定する
ことを特徴とする付記９または１０に記載の通信システム。
【０２９０】
［付記１２］
前記端末機能制御手段は、位置情報取得機能の起動を要求する信号を受信したことに応じて、前記位置情報処理手段を起動する
ことを特徴とする付記９乃至１１のいずれかに記載の通信システム。
【０２９１】
［付記１３］
前記端末通信手段は、前記緊急通報及び前記端末の位置に関する情報を、所定の組み合わせで、緊急通報先へ送信することを特徴とする付記９乃至１２のいずれかに記載の通信
［付記１４］
緊急通報を送信する端末と、
前記端末に対して位置情報を配信する通信装置と、を含み、
前記端末は、
前記緊急通報を通知する緊急通報発呼手段と、
前記端末の位置を特定する位置情報処理手段と、
前記位置情報処理部を起動する端末機能制御手段と、
前記緊急通報及び前記端末の位置に関する情報を緊急通報先へ送信する端末通信手段と、を含み、
前記端末機能制御手段は、前記端末通信手段が位置情報取得機能の起動を要求する信号を受信したことに応じて、前記位置情報処理手段を起動する
ことを特徴とする通信システム。
【０２９２】
［付記１５］
緊急通報を送信する端末と、
前記端末に対して位置情報を配信する通信装置と、を含み、
前記通信装置は、
前記位置情報要請を送信した端末の位置情報を通知する位置情報配信手段と、
前記位置情報配信手段を起動する通信装置機能制御手段と、を含み、
前記通信装置通信手段は、前記通知された位置情報を、前記端末に送信する
ことを特徴とする通信システム。
【０２９３】
［付記１６］
前記通信装置機能制御手段は、前記通信装置通信手段が位置情報取得機能の起動を指示する信号を受信したことに応じて、前記位置配信手段を起動する
ことを特徴とする付記１５に記載の通信システム。
【０２９４】
［付記１７］
緊急通報を送信する端末と、
前記端末に対して位置情報を配信する通信装置と、
前記端末からの緊急通報を緊急通報先へ送信する基地局と、を含み、
前記基地局は、
端末からの緊急通報を受信する基地局通信手段と、
前記基地局通信手段が前記緊急通報を受信したことに応じて、前記端末及び通信装置に対して、位置情報取得機能の起動を指示する信号を送信する端末機能制御指示手段と
を含むことを特徴とする通信システム。
【０２９５】
［付記１８］
緊急通報を送信する端末と、
前記端末に対して位置情報を配信する通信装置と、
前記端末からの緊急通報を緊急通報先へ送信する基地局と、を含み、
前記端末から送信された緊急通報を前記基地局が受信したことに応じて、前記基地局が前記端末に対して、位置情報取得機能の起動を指示する信号を送信する
ことを特徴とする通信システム。
【０２９６】
［付記１９］
前記端末から送信された緊急通報を前記基地局が受信したことに応じて、前記基地局が前記端末及び通信装置に対して、位置情報取得機能の起動を指示する信号を送信する
ことを特徴とする付記１８に記載の通信システム。
【０２９７】
［付記２０］
緊急通報及び位置情報を送信するための方法であって、
緊急通報を通知するステップと、
前記緊急通報を送信した端末の位置を特定するステップと、
前記緊急通報を通知したことに応じて、位置情報の取得開始を指示するステップと、
前記緊急通報及び前記端末の位置に関する情報を緊急通報先へ送信するステップと
を含むことを特徴とする通信方法。
【０２９８】
［付記２１］
取得した位置情報から自装置の位置を特定するステップ
をさらに含むことを特徴とする付記２０に記載の通信方法。
【０２９９】
［付記２２］
少なくとも１つ以上の装置に対して位置情報要請を送信し、取得した位置情報から前記緊急通報を送信した端末の位置を特定するステップ
をさらに含むことを特徴とする付記２０または２１に記載の通信方法。
【０３００】
［付記２３］
前記位置情報の取得開始の指示を受信したことに応じて、前記位置情報の取得を開始するステップ
をさらに含むことを特徴とする付記２０乃至２２のいずれかに記載の通信方法。
【０３０１】
［付記２４］
前記緊急通報及び前記端末の位置に関する情報を、所定の組み合わせで、緊急通報先へ送信するステップをさらに含むことを特徴とする付記２０乃至２３のいずれかに記載の通信方法。
【０３０２】
［付記２５］
緊急通報及び位置情報を送信するための方法であって、
前記緊急通報を通知するステップと、
端末の位置を特定するステップと、
位置情報の取得開始を指示するステップと、
前記緊急通報及び前記端末の位置に関する情報を緊急通報先へ送信するステップと、を含み、
位置情報の取得開始の指示を受信したことに応じて、前記位置情報の取得を開始する
ことを特徴とする通信方法。  ［付記２６］
緊急通報及び位置情報を送信するための方法であって、
前記位置情報要請を送信した端末の位置情報を通知するステップと、
前記位置情報配信手段を起動するステップと、
前記通知された位置情報を、前記端末に送信するステップとを含む
ことを特徴とする通信方法。
【０３０３】
［付記２７］
位置情報の取得開始の指示を受信したことに応じて、前記位置情報の取得を開始する
ことを特徴とする付記２６に記載の通信方法。
【０３０４】
［付記２８］
緊急通報及び位置情報を送信するための方法であって、
端末からの緊急通報を受信するステップと、
前記緊急通報を受信したことに応じて、前記端末及び通信装置に対して、位置情報の取得開始の指示を送信するステップと
を含むことを特徴とする通信方法。
【０３０５】
［付記２９］
緊急通報及び位置情報を送信するための方法であって、
前記端末から送信された緊急通報を前記基地局が受信したことに応じて、前記端末に対して、位置情報の取得開始を指示するステップ
を含むことを特徴とする通信方法。
【０３０６】
［付記３０］
前記端末から送信された緊急通報を前記基地局が受信したことに応じて、前記端末及び通信装置に対して、位置情報の取得開始を指示するステップ
を含むことを特徴とする付記２９に記載の通信方法。
【０３０７】
［付記３１］
緊急通報及び位置情報を送信するためのプログラムであって、
緊急通報を通知する工程と、
前記緊急通報を送信した端末の位置を特定する工程と、
前記緊急通報を通知したことに応じて、位置情報の取得開始を指示する工程と、
前記緊急通報及び前記端末の位置に関する情報を緊急通報先へ送信する工程と
を含むことを特徴とするプログラム。
【０３０８】
［付記３２］
取得した位置情報から自装置の位置を特定する工程
をさらに含むことを特徴とする付記３１に記載のプログラム。
【０３０９】
［付記３３］
少なくとも１つ以上の装置に対して位置情報要請を送信し、取得した位置情報から前記緊急通報を送信した端末の位置を特定する工程
をさらに含むことを特徴とする付記３１または３２に記載のプログラム。
【０３１０】
［付記３４］
前記位置情報の取得開始の指示を受信したことに応じて、前記位置情報の取得を開始する工程
をさらに含むことを特徴とする付記３１乃至３３のいずれかに記載のプログラム。
【０３１１】
［付記３５］
前記緊急通報及び前記端末の位置に関する情報を、所定の組み合わせで、緊急通報先へ送信する工程をさらに含むことを特徴とする付記３１乃至３４のいずれかに記載のプログラム。
【０３１２】
［付記３６］
緊急通報及び位置情報を送信するためのプログラムであって、
前記緊急通報を通知する工程と、
端末の位置を特定する工程と、
位置情報の取得開始を指示する工程と、
前記緊急通報及び前記端末の位置に関する情報を緊急通報先へ送信する工程と、を含み、
位置情報の取得開始の指示を受信したことに応じて、前記位置情報の取得を開始する
ことを特徴とするプログラム。
【０３１３】
［付記３７］
緊急通報及び位置情報を送信するためのプログラムであって、
前記位置情報要請を送信した端末の位置情報を通知する工程と、
前記位置情報配信手段を起動する工程と、
前記通知された位置情報を、前記端末に送信する工程とを含む
ことを特徴とするプログラム。
【０３１４】
［付記３８］
位置情報の取得開始の指示を受信したことに応じて、前記位置情報の取得を開始する
ことを特徴とする付記３７に記載のプログラム。
【０３１５】
［付記３９］
緊急通報及び位置情報を送信するためのプログラムであって、
端末からの緊急通報を受信する工程と、
前記緊急通報を受信したことに応じて、前記端末及び通信装置に対して、位置情報の取得開始の指示を送信する工程と
を含むことを特徴とするプログラム。
【０３１６】
［付記４０］
緊急通報及び位置情報を送信するための方法であって、
前記端末から送信された緊急通報を前記基地局が受信したことに応じて、前記端末に対して、位置情報の取得開始を指示する工程
を含むことを特徴とするプログラム。
【０３１７】
［付記４１］
前記端末から送信された緊急通報を前記基地局が受信したことに応じて、前記端末及び通信装置に対して、位置情報の取得開始を指示する工程
を含むことを特徴とする付記４０に記載のプログラム。
【符号の説明】
【０３１８】
１−１、１−２  ＣＰＵ
２−１、２−２  ＲＡＭ
３−１、３−２  記憶装置
４−１、４−２  通信インターフェース
５−１、５−２  入力装置
６−１、６−２  出力装置
１０、１２、１４  端末
１０１  端末通信部
１０２  緊急通報発呼部
１０３  緊急通報認識部
１０４  端末機能制御部
１０５  位置情報処理部
１１、１３  通信装置
１１１  通信装置通信部
１１２  位置情報配信部
１３３  通信装置機能制御部
２０  ＧＰＳ衛星
２０１  ＧＰＳ衛星通信部
２０２  ＧＰＳ情報配信部
３０、３１、３２  基地局
３０１  基地局通信部
３０２  メッセージ処理部
３０３  基地局緊急通報認識部
３０４  端末機能制御指示部
４０  ＭＥＣ
４０１  ＭＥＣ通信部
４０２  ＭＥＣメッセージ処理部
４０３  ＭＥＣ緊急通報認識部
４０４  端末呼出し制御指示部
４０５  端末情報記憶部
４０６  ＭＥＣ端末機能制御指示部
５０、５１  ＭＭＥ
５０１  ＭＭＥ信号処理部
５０２  ＭＭＥ制御部
５１１  ＭＭＥ通信部
５１２  ＭＭＥメッセージ処理部
５１３  ＭＭＥ緊急通報認識部
５１４  端末機能制御生成部
６０  ＭＴＣ−ＩＷＦ
６０１  ＭＴＣ信号処理部
６０２  ＭＴＣ制御部
７０  ＳＣＳ
７０１  ＳＣＳ信号処理部
７０２  ＳＣＳ制御部
８０  外部サーバ
８０１  サーバ通信部
８０２  サーバメッセージ処理部
８０３  サーバ緊急通報認識部
８０４  サーバ端末呼出し制御指示部
８０５  サーバ端末情報記憶部
８０６  サーバ端末機能制御指示部
９０  Ｓ−ＧＷ
９０１  ＳＧＷ信号処理部
９０２  ＳＧＷ制御部
９５  Ｐ−ＧＷ
９５１  ＰＧＷ信号処理部
９５２  ＰＧＷ制御部
【図１】
2019134193.tif 000003
【図２】
2019134193.tif 000004
【図３】
2019134193.tif 000005
【図４】
2019134193.tif 000006
【図５】
2019134193.tif 000007
【図６】
2019134193.tif 000008
【図７】
2019134193.tif 000009
【図８】
2019134193.tif 000010
【図９】
2019134193.tif 000011
【図１０】
2019134193.tif 000012
【図１１】
2019134193.tif 000013
【図１２】
2019134193.tif 000014
【図１３】
2019134193.tif 000015
【図１４】
2019134193.tif 000016
【図１５】
2019134193.tif 000017
【図１６】
2019134193.tif 000018
【図１７】
2019134193.tif 000019
【図１８】
2019134193.tif 000020
【図１９】
2019134193.tif 000021
【図２０】
2019134193.tif 000022
【図２１】
2019134193.tif 000023
【図２２】
2019134193.tif 000024
【図２３】
2019134193.tif 000025
【図２４】
2019134193.tif 000026
【図２５】
2019134193.tif 000027
【図２６】
2019134193.tif 000028
【図２７】
2019134193.tif 000029
【図２８】
2019134193.tif 000030
【図２９】
2019134193.tif 000031
【図３０】
2019134193.tif 000032
【図３１】
2019134193.tif 000033
【図３２】
2019134193.tif 000034
【図３３】
2019134193.tif 000035